(57)【特許請求の範囲】
【請求項１】
発射された遊技球が流下する遊技領域を有する遊技盤と、
前記遊技盤に設けられ、前記遊技領域を流下する前記遊技球の一部が入賞する始動口と、
前記始動口に前記遊技球が入賞したことに基いて所定の開始条件が成立した際に開始される変動表示ゲームを表示する表示手段と、
前記表示手段に前記変動表示ゲームに係る演出用の表示を表示させる制御を行う演出表示制御手段と、
前記始動口に前記遊技球が入賞した際に、乱数の情報を取得する乱数取得手段と、
前記変動表示ゲームの当たりおよびはずれを、当該変動表示ゲームの前記所定の開始条件が成立する際に前記乱数取得手段に取得された前記乱数が所定の当たり条件を満たすか否かにより決定する当たり抽選手段と、
前記変動表示ゲームの実行処理中に前記乱数取得手段が前記乱数の情報を取得した場合に、当該乱数の情報を予め定められた上限となるまで保留可能に記憶し、
かつ、前記変動表示ゲームの開始条件成立時に前記当たり抽選手段で用いるために前記乱数の情報を１つ読み出し、読み出した前記乱数の情報を消去する乱数記憶制御手段とを有する遊技機において、
前記乱数取得手段が前記乱数の情報を取得した際に、記憶されてから読み出されるまで消去されずに記憶されて保留された状態の前記乱数の情報の保留状態に基づいてポイント数が異なるように当該ポイントを生成し、生成されたポイントを加算可能に記憶させるポイント生成記憶手段と、
遊技者の遊技開始に係る情報を外部から入力可能とする入力手段と、
前記入力手段により遊技開始の情報が入力されることに基づいて、前記ポイント生成記憶手段により生成されたポイントを積算するポイント積算手段とを備え、
前記演出表示制御手段は、
前記変動表示ゲームの表示として、当該変動表示ゲームの当たりまたははずれの結果が表示される前に、前記変動表示ゲームの当たりおよびはずれの結果を予告する所定種類の予告演出表示を表示するか否かの出現確率に基いて予告抽選を行い、前記予告抽選で表示することが決定された場合に予告演出表示を表示する予告演出表示制御手段を有し、
前記予告演出表示制御手段は,
前記ポイント生成記憶手段にて生成された前記ポイントの値が所定数以上になる条件に基く場合に、
所定の出現確率以下の予告演出表示を前記予告抽選の結果に係らずに表示可能にするか、または、所定の出現確率以下の予告演出表示の出現確率を所定の出現確率より高くなるように設定変更可能にすることを特徴とする遊技機。
【発明の詳細な説明】
【技術分野】
【０００１】
本発明は、パチンコ店などの遊技場に設置して使用される遊技機に関するものである。
【背景技術】
【０００２】
パチンコ店の遊技場では、例えば、来店する遊技者を対象とする会の会員になってもらい、会員に例えばデジタルデータを記憶する記憶手段を備えた会員カードを付与するとともに、遊技場への来店や遊技機での遊技内容を条件として、会員カードの記憶手段に記憶されたＩＤ等のデータを元に会員にポイントを付与することが提案されている。
【０００３】
また、遊技場に設置される遊技機のメーカや販売会社等において、例えば、携帯電話用の携帯サイト等で会員を募集し、自社の遊技機での遊技に基いて会員にポイントやその他の特典を付与することが提案されている（例えば、特許文献１〜３参照）。
ポイントの付与は、例えば、一般的に携帯電話に設けられたデジタルカメラの機能と、一般的に携帯電話にインストールされている所定様式の二次元コードの読み取りプログラムの機能とに対応して、遊技機の表示装置に上述の所定様式の二次元コードを表示することによって行われている。
【０００４】
当該二次元コードで示される情報には、遊技球中に得られたポイントや、遊技のデータ等が含まれるとともに、例えば、上述の携帯サイトのＵＲＬ等が含まれている。このＵＲＬを用いて上述の携帯サイトへアクセスすることによって、例えば、携帯サイトを公開しているＷｅｂサーバや、Ｗｅｂサーバに接続されたＡｐｌサーバに、上述の二次元コードに含まれたポイントや遊技のデータを送信可能とされている。
【０００５】
例えば、遊技機としてのパチスロ（スロットマシン）では、前記２次元コードを用いて携帯サイトにアクセスすることによって、ポイント等に応じたパスワードが携帯電話で受信されるようになっており、このパスワードをパチスロに入力すると、例えば、会員用の特別な画像演出や音声演出が可能になる特典が得られるようになっている。また、携帯サイトにおいても、ポイント等に応じて、特典用の画像データや音声や音楽等の音のデータが携帯電話にダウンロード可能になる。
【０００６】
このような遊技機における特典の付与により、遊技場において、特定のメーカ等の遊技機へ遊技者を誘導することが可能になれば、遊技場における特定のメーカの遊技機の稼働率が向上し、遊技場におけるこの遊技機の設置台数の増加を図れる可能性がある。すなわち、遊技者にコインや遊技球以外の特典を付与可能な遊技機の販売台数を増加させられる可能性がある。
【０００７】
また、遊技機の稼働率を考慮した場合に、例えば、パチンコ遊技機等の遊技球を発射する弾球遊技機では、遊技機で遊技する遊技者ができるだけ、遊技球の発射を停止することなく、遊技球を発射し続けてくれることが好ましい。すなわち、遊技機で遊技者が遊技をしていても、遊技球の発射を停止している状態では、遊技機に遊技者がいなのと実質的に同じ状態であり、遊技機に遊技者がいても遊技球を発射するのを停止することによって、その遊技機の稼働率が低下する。
【０００８】
ここで、一般的なデジパチと呼ばれる遊技機では、始動口に遊技球が入賞することによって変動表示ゲームを行うことが可能になり、変動表示ゲームがパチンコ遊技機の制御装置における抽選により大当たりになると、大量の遊技球を獲得可能な大当たり状態が発生する。また、始動口に遊技球が入賞しても、既に変動表示ゲームが表示されている状態では、次の変動表示ゲームを開始できないようになっているとともに、開始できなかった変動表示ゲームを開始する契機を始動口への遊技球の入賞に対応して記憶することにより、変動表示ゲームが保留され、次の変動表示ゲームが開始可能になった際に保留された変動表示ゲームを開始できるようになっている。
【０００９】
また、変動表示ゲームの保留数には、上限が設定されており、例えば、変動表示ゲームを最高４回分保留できるようになっており、変動表示ゲームの保留数が上限になった状態で、始動口に遊技球が入賞しても、変動表示ゲームが保留されないようになっている。
また、始動口が二つ設けられ、それぞれの始動口に対応して変動表示ゲームが保留可能になったパチンコ遊技機があり、このようなパチンコ遊技機では、それぞれの始動口に対応して変動表示ゲームを最大４つずつ保留できるようになっており、合わせて８つの変動表示ゲームが保留可能になる。
【００１０】
但し、確率変動（確変）を有するパチンコ遊技機においては、一般的に二つの始動口のうちの一方の始動口は、常時遊技球が入賞可能だが、他方の始動口には電チューが設けられるとともに、電チューが開放した場合にのみ遊技球が入賞するようになっている。確変ではない通常時には、電チューが開く機会が少なく、かつ、電チューの開放時間も短いので、他方の始動口対応する変動表示ゲームの保留数は、ほとんどの場合に０になっている。
【００１１】
また、確変時には、電チューが開放する機会が増えるとともに、電チューの開放時間が長いので、確変中の他方の始動口に対応する変動表示ゲームの保留数が上限になっている場合が多い。また、このようなパチンコ遊技機では、他方の始動口に対応して保留された変動表示ゲームが一方の始動口に対応して保留された変動表示ゲームより優先して実行されるので、確変時に一方の始動口に対応して保留された変動表示ゲームが実行されることがあまりない。したがって、一方の始動口に対応して保留された変動表示ゲームがあまり実行されないことから、確変時に一方の始動口に対応して保留される変動表示ゲームは、ほとんどの場合に上限数の４つになっている。
【００１２】
しかし、この一方の始動口に対応して保留された変動表示ゲームは、確変時にほとんど実行されないことから、実質的に確変時に実行される変動表示ゲームの保留数は他方の始動口に対応する４つになる。
したがって、二つの始動口に対応して８つの変動表示ゲームが保留可能であっても、通常時、確変時とも実際に開始される変動表示ゲームの保留数は、実質的に４つである。
【００１３】
デジパチでは、基本的に、変動表示ゲームが大当たり状態になっている間は、遊技により遊技球が増加し、それ以外の状態では、遊技により遊技球が減少する。したがって、例えば、変動表示ゲームの保留数が上限になった際には、始動口に遊技球が入賞しても変動表示ゲームの保留数が増加せず、大当たりになる可能性のある抽選の機会が得られないことから、この状態では、遊技球の発射を停止した方が遊技者に有利になる。
但し、確変時には、電チューに遊技球が入賞し易いので、遊技球の減少が少なく、かつ、通常時に比べて変動表示ゲームのゲーム時間が短く、保留された変動表示ゲームが早く消化されてしまう。よって、確変時には、変動表示ゲームの保留数が上限の４になっても遊技を続行する遊技者が多い。
また、通常時も、一方の始動口に対応する変動表示ゲームの保留数が上限の４つになるまでは、遊技球を発射することになり、単位時間当たりの遊技球の発射停止時間はそれほど多くない。
【先行技術文献】
【特許文献】
【００１４】
【特許文献１】特開２００６−６８２４２号公報
【特許文献１】特開２００６−６８２４３号公報
【特許文献１】特開２００６−６１３０４号公報
【発明の概要】
【発明が解決しようとする課題】
【００１５】
ところで、変動表示ゲームの保留数が１以上で、前の変動表示ゲームが終了した際に次の変動表示ゲームが直ぐ開始可能な状態が持続するならば、必ずしも変動表示ゲームの保留数が上限になっていなくとも所定時間当たりの変動表示ゲーム（大当たりを決める抽選）の回数は同じになるので、パチンコ遊技機の特性等によっては、変動表示ゲームの保留数が上限になっていなくとも、遊技球の発射を停止した方が、遊技者に有利になる場合もあり得る。
【００１６】
例えば、二つの始動口を有し、かつ、二つの始動口が常時遊技球が入賞可能な状態で、かつ、遊技球の入賞順に対応して変動表示ゲームが行われる場合には、常時、変動表示ゲームの実質的な保留数の上限が８になる。
ここで、保留数が８なくても、例えば、６ぐらいでも変動表示ゲームを略絶え間なく発生させることができる可能性があり、この場合に、保留数が最大（上限）になっていなくても、遊技者が遊技球の発射を停止してしまう可能性がある。
すなわち、変動表示ゲームの保留数の上限になる個数が同じであっても実質的に利用可能は保留数を多くすることにより、保留数が上限になって、始動口に遊技球が入賞しても変動表示ゲームが保留されなくなる可能性をある程度減らしても、保留数が増えたことによって、保留数が上限になる前に遊技球の発射を停止してしまう遊技者が増え、稼働率の向上を図ることが困難になる虞がある。
【課題を解決するための手段】
【００１８】
請求項１に記載の遊技機は、発射された遊技球が流下する遊技領域を有する遊技盤と、
前記遊技盤に設けられ、前記遊技領域を流下する前記遊技球の一部が入賞する始動口と、
前記始動口に前記遊技球が入賞したことに基いて所定の開始条件が成立した際に開始される変動表示ゲームを表示する表示手段と、
前記表示手段に前記変動表示ゲームに係る演出用の表示を表示させる制御を行う演出表示制御手段と、
前記始動口に前記遊技球が入賞した際に、乱数の情報を取得する乱数取得手段と、
前記変動表示ゲームの当たりおよびはずれを、当該変動表示ゲームの前記所定の開始条件が成立する際に前記乱数取得手段に取得された前記乱数が所定の当たり条件を満たすか否かにより決定する当たり抽選手段と、
前記変動表示ゲームの実行処理中に前記乱数取得手段が前記乱数の情報を取得した場合に、当該乱数の情報を予め定められた上限となるまで保留可能に記憶し、
かつ、前記変動表示ゲームの開始条件成立時に前記当たり抽選手段で用いるために前記乱数の情報を１つ読み出し、読み出した前記乱数の情報を消去する乱数記憶制御手段とを有する遊技機において、
前記乱数取得手段が前記乱数の情報を取得した際に、記憶されてから読み出されるまで消去されずに記憶されて保留された状態の前記乱数の情報の保留状態に基づいてポイント数が異なるように当該ポイントを生成し、生成されたポイントを加算可能に記憶させるポイント生成記憶手段と、
遊技者の遊技開始に係る情報を外部から入力可能とする入力手段と、
前記入力手段により遊技開始の情報が入力されることに基づいて、前記ポイント生成記憶手段により生成されたポイントを積算するポイント積算手段とを備え、
前記演出表示制御手段は、
前記変動表示ゲームの表示として、当該変動表示ゲームの当たりまたははずれの結果が表示される前に、前記変動表示ゲームの当たりおよびはずれの結果を予告する所定種類の予告演出表示を表示するか否かの出現確率に基いて予告抽選を行い、前記予告抽選で表示することが決定された場合に予告演出表示を表示する予告演出表示制御手段を有し、
前記予告演出表示制御手段は,
前記ポイント生成記憶手段にて生成された前記ポイントの値が所定数以上になる条件に基く場合に、
所定の出現確率以下の予告演出表示を前記予告抽選の結果に係らずに表示可能にするか、または、所定の出現確率以下の予告演出表示の出現確率を所定の出現確率より高くなるように設定変更可能にすることを特徴とする。
【００１９】
請求項１に記載の発明においては、遊技開始の入力により遊技開始から遊技終了までの遊技期間の遊技結果を示す遊技データを出力可能で、その遊技期間中における遊技データとしてポイントを生成するとともに、生成されたポイントを積算する遊技機において、当該変動表示ゲームの実行中に次の変動表示ゲームの当たりおよびはずれを決定するための乱数の情報を取得した際に、ポイントの生成が可能となるようになっている。
なお、変動表示ゲームの開始の契機が付与されたことをポイント生成の条件の一つとして少なくともポイント付与可能となるようにしてもよい。
また、所定の開始条件とは、乱数の情報を取得した際に変動表示ゲームが行われていない、または、変動表示ゲームの待機終了時、変動表示ゲームを保留状態にする保留数が予め定められた上限値となっていないなどである。
【００２０】
したがって、保留数が０で、変動表示ゲームが開始されていない状態で始動口に遊技球が入賞して乱数の情報が取得され、この乱数の情報を用いて変動表示ゲームが開始された場合、すなわち、現状の保留数が０で、乱数の情報が取得されても直ぐに変動表示ゲームが開始されることによって保留数が０になってしまう場合にポイントが付与される。
また、変動表示ゲーム中に始動口に遊技球が入賞して乱数の情報が取得されて保留数が１アップした場合には、ポイント付与率が増加してより高いポイントが付与される。
なお、前述の保留数が貯まっていない０となる状態の場合にはポイントを付与せずに、保留数が１つ以上貯まった状態となる条件を満たすことでポイントを付与するようにしても良い。
また、保留数が一定数貯まる条件を満たすことでポイントを付与したり、それ以上の一定数以上貯まった際にはポイントの付与率をより大きくするようにしても良い。
【００２１】
この場合に、乱数を取得した際に、保留数が１以上になる場合の方が、乱数を取得しても保留数が０になってしまう場合よりも優遇してポイントが生成される。
例えば、乱数を取得した際に、保留数が１以上になる場合に生成されるポイントが、乱数を取得しても保留数が０になってしまう場合に生成されるポイントより多くなっている。
【００２２】
これにより、遊技者は、遊技期間中に生成されるポイントを多くするために、遊技球を発射し続けるように誘導される可能性がある。例えば、遊技者は、休憩や、変動表示ゲームを集中して見るためや、限られた予算で遊技時間を引き延ばす目的などで、遊技球の発射を止める可能性がある。この際に、一度、保留数を０として変動表示ゲームが開始されない状態としてしまうと、生成されるポイントが少なくなってしまう。そこで、ポイントを溜めることに興味のある遊技者は、ポイントを多く生成するために、保留された変動表示ゲームが全て消化されるような時間にわたって、遊技球の発射を停止することを避ける可能性があり、これによりポイントを生成する遊技機の稼働率の向上を図ることができる。
【００２３】
なお、前記ポイント積算手段により前記遊技期間内に積算されたポイントの情報を含む前記遊技期間内における遊技の履歴の情報としてのプレイ情報を、所定サーバに接続可能な携帯端末にて読み取り可能な所定様式の二次元コードに変換して表示する二次元コード表示手段を備え、
前記入力手段は、外部から所定様式の記号コードの入力を可能とし、
前記記号コードは、前記携帯端末を介して所定サーバに前記二次元コードの情報を送信した場合に、前記所定サーバにおいて前記二次元コードに含まれる前記プレイ情報の解析がなされるとともに、この解析により得られた解析データが記憶更新され、この記憶更新された解析データの少なくとも一部を変換して生成されたものであり、
前記演出表示制御手段は、前記記号コードが外部から入力された場合に、各記号コードに関連付けて記憶されている演出表示の変更態様から入力された前記記号コードに関連付けられた演出表示の変更態様を選択し、選択された演出表示の変更態様に基いて演出表示を変更可能とすることにより、外部から前記記号コードが入力された場合に、前記記号コードが入力されていない初期状態の場合の演出表示と異なる演出表示が実行可能とされていることが好ましい。
【００２４】
上述のように積算されたポイントは、他の遊技データ（出現した特図変動パターンの演出や大当たり回数などのプレイ情報）とともに、遊技機に設けられた液晶表示部などから二次元コード（符号化映像など）として出力表示される。この二次元コードを読み取り可能な携帯端末で読み取り、所定のサーバに送信すると、所定のサーバ側で受信した二次元コードの情報に基いてポイントを含むプレイ情報が解析され、この解析されたデータは、所定のデータベースに蓄積記憶されて遊技履歴情報として記憶管理され、その遊技履歴情報（全ての蓄積データではなく一部情報（ポイント総計情報のピックアップ等）を含む）を記号コードに変換可能にして、携帯端末によるアクセスに基いて出力するようになっている。
【００２５】
この記号コードは、例えば、複数の文字や符号等の記号を組み合わせたものであり、かつ、入力手段から遊技機内へ遊技者の遊技開始の情報として入力可能なものになっている。
例えば、二次元コードの解析データのうちのポイントの総計と、記号コードとを関連付けたデータテーブルがあり、このデータテーブルの照合演算によりポイントの総計が記号コードに変換されるものとしてもよい。
【００２６】
この記号コードを遊技機に入力すると、例えば、遊技機のサブ制御基板側の制御装置に入力される。サブ制御基板側には例えば記号コードに対応する演出表示データが登録されたデータテーブルがあり、入力された記号コードに対応する演出表示データを表示可能とするものとしてもよい。なお、記号コードに対応する演出表示データは、対応する記号コードが入力されない場合に、表示されない、または表示される出現確率が抑えられたものとするとよい。
また、演出表示を行うか否かを抽選で決定する際に用いられ、各演出表示データの抽選確率が設定されたデータテーブルにおいて、演出表示データの中に対応する記号コードが設定された演出表示データが含まれるものとする。この記号コードに対応する演出表示データが選択される抽選確率を記号コードが入力されていない状態では０とし、記号コードが入力された場合には０より大きくする。なお、この際に記号コード毎にデータテーブルを変更することによって、抽選確率を変更するものとしてもよい。
例えば、演出表示にキャラクタが登場する場合に、記号が未入力の場合と記号を入力した場合とでキャラクタが異なったり、キャラクタの服装が異なったり、キャラクタの動作が異なるものになる。また、入力される記号コードによっても、キャラクタが異なったり、キャラクタの服装が異なったり、キャラクタの動作が異なるものになる。
なお、演出表示データは、サブ制御基板のＲＯＭ等の記憶手段に記憶されており、記号コードの入力に基いて、この演出表示データを切り替えることによって演出表示が変更されたり、演出表示データテーブルを切り替えることによって特定演出の出現確率が変更される。
また、遊技機に入力された遊技者の遊技開始の情報（記号コード）に含まれるポイントの総計値情報の解析に基いて、プレイ開始情報後に生成されるポイントを積算する際の初期値のかさ上げが行われる。
【００２７】
また、前記演出表示制御手段は、前記変動表示ゲームの表示として、当該変動表示ゲームの当たりまたははずれの結果が表示される前に、前記変動表示ゲームの当たりおよびはずれの結果を予告する複数種類の予告演出表示から、前記予告演出表示の種類に対応し、前記予告演出表示を表示するか否かの抽選確率である出現確率に基いて、各予告演出表示を表示するか否かの予告抽選を行い、前記予告抽選で表示することが決定された予告演出表示を表示する予告演出表示制御手段を有し、
前記ポイント生成記憶手段にて生成された前記ポイントの値が所定数以上になることを条件に、開始される変動表示ゲームの表示に際し、前記予告演出表示制御手段は、所定の出現確率以下の予告演出表示を前記予告抽選の結果に係らずに表示するか、または、所定の出現確率以下の予告演出表示の出現確率を所定の出現確率より高くなるように設定変更することが好ましい。
【００２８】
変動表示ゲーム中に当該変動表示ゲームが最終的に当たりになる可能性を示す複数の予告演出表示から抽選で決定される予告演出表示が行われる場合に、積算されたポイントの値が所定数以上になることを条件に、所定の出現確率以下の予告演出表示を表示するか、もしくは所定の出現確率以下の予告演出表示の出現確率を所定の出現確率より高くなるように設定変更する。
これにより、ポイントの値を増やすことによって、出現確率が低く、あまり見ることができない予告演出を見られるか、見られる可能性が高くなる。
なお、遊技機内にて積算されるポイント値の増減に基いて、大当たり結果の報知をする演出時に出現する第１予告演出と、はずれ結果を報知する演出時に出現する第１予告演出（前述と同じ予告演出）の出現比率を変更することにより、第１予告演出の大当たり信頼度の調整も可能となる。
【００２９】
また、前記変動表示ゲームが行われる遊技状態には、前記変動表示ゲームの大当たりの抽選確率の設定が異なるものを含む複数の遊技状態が設定され、現状の遊技状態をこれら遊技状態のうちのいずれかの遊技状態とする遊技状態制御手段と、
前記乱数取得手段が前記乱数を所得した際の前記遊技状態制御手段により制御される遊技状態が、複数の遊技状態のいずれかを判定する遊技状態判定手段とを備え、
前記ポイント生成記憶手段は、前記乱数取得手段が乱数を取得した際に、前記遊技状態判定手段が判定した遊技状態に対応して予め定められた値の前記ポイントを生成することを特徴とする。
【００３０】
遊技状態によって乱数の情報を取得した場合に加算されるポイントの値を代えることができる。例えば、遊技状態として確変状態と通常状態がある場合に、確変状態と通常状態とで乱数取得時に得られるポイントの値を変えることができる。
【発明の効果】
【００３１】
本発明によれば、遊技者が遊技を行うことに基づいて遊技球等の遊技媒体以外の特典を付与可能な構成とすることが可能となる。
【図面の簡単な説明】
【００３２】
【図１】本発明の実施の形態に係るパチンコ遊技機の遊技盤上の遊技領域を示す正面図である。
【図２】前記遊技領域に設けられた振分誘導装置の断面図である。
【図３】前記パチンコ遊技機に設けられた入力デバイスを示す正面図である。
【図４】前記パチンコ遊技機に設けられた可変表示装置を示す図である。
【図５】前記パチンコ遊技機の制御係を示すブロック図である。
【図６】前記パチンコ遊技機を有する遊技システムを示すブロック図である。
【図７】前記パチンコ遊技機の主制御部で行われるポイント処理を説明するためのフローチャートである。
【図８】前記パチンコ遊技機の主制御部で行われる二次元コード出力処理を説明するためのフローチャートである。
【発明を実施するための形態】
【００３３】
本発明の実施の形態を図面を参照して説明する。
図１に示すように、この実施の形態のパチンコ遊技機は、基本的には、所謂デジパチと呼ばれる種類のパチンコ遊技機としての構成を有するものである。
遊技盤１の盤面上の遊技領域２内には、その略中央部に可変表示装置（表示装置）３が設けられている。可変表示装置３は、例えば、液晶表示装置からなるもので、当たり抽選手段として機能する後述の主制御装置１４で行われる抽選の各種大当たりおよびはずれの抽選結果を表示するものであり、抽選結果の表示に際し装飾図柄の変動表示ゲームを表示し、この変動表示ゲームの大当たりおよびはずれによって上述の抽選結果を報知するようになっている。
【００３４】
遊技領域２の下部には、第１および第２特図表示器４ａ，４ｂが設けられている。第１および第２特図表示器４ａ，４ｂは、例えば、７セグのＬＥＤ表示装置からなる。なお、第１および第２特図表示器４ａ，４ｂは、数字を表示可能な７セグの表示装置である必要はなく、例えば、６から８個程度の任意の形状のセグメントが任意の位置に配置されたものでよく、各セグメントの点灯および消灯を個別に制御できるようになっていればよい。第１および第２特図表示器４ａ，４ｂは、上述の変動表示時間だけ変動表示（一部のセグメントを点滅表示）した後に特図（抽選結果表示）を停止表示する。
【００３５】
ここで、第１および第２特図表示器４ａ，４ｂの前記点滅表示後に特図を停止表示する特図の変動表示ゲームを特図ゲームと称する。また、特図ゲームには、第１特図表示器４ａで行われる第１特図ゲームと、第２特図表示器４ｂで行われる第２特図ゲームとがあるが、同時に第１特図ゲームと第２特図ゲームとが行われることがなく、第１特図ゲームと第２特図ゲームとの両方が開始可能な場合には、後述のように保留された際の保留時期が早い方が先に開始される。すなわち、第１特図ゲームおよび第２特図ゲームにかかわらず、保留された順（入賞順）に特図ゲームが一つずつ開始される。
【００３６】
可変表示装置３で表示される変動表示ゲームは、実行されている第１特図ゲームもしくは第２特図ゲームに対応したものであり、第１特図ゲームが実行されている際には、この第１特図ゲームと同様の結果になる装飾図柄の変動表示ゲームが表示され、第２特図ゲームが実行されている際には、この第２特図ゲームと同様の結果になる装飾図柄の変動表示ゲームが表示されている。
【００３７】
前記可変表示装置３の下には、振分誘導装置７を挟んで、第１始動口５ａおよび第２始動口５ｂが左右に並んで設けられている。第１始動口５ａが向って右側に設けられ、その左側に第２始動口５ｂが設けられている。
また、第２始動口５ｂは、所謂電チューと呼ばれる普通変動入賞装置５に設けられている。
この普通変動入賞装置５は、開閉動作自在な１対の可動片５１，５１を備え、第２始動口５ｂに遊技球が入賞し難いように可動片５１，５１が閉じた状態（閉状態）と、遊技球が入賞し易いように可動片５１，５１が開いた状態（開状態）との間で変動するようになっている。可動片５１，５１が閉じた状態でも、可動片５１，５１同士の間には、遊技球が一個だけ通過可能な間隔があいているので、開いた場合よりも遊技球の入賞がし難いが、遊技球が入賞可能になっている。
【００３８】
第１始動口５ａには、遊技球の入賞を検知する第１始動入賞球検知センサ５３ａ（図５に図示）が設けられており、第１始動入賞球検知センサ５３ａは、主制御装置１４に、遊技球が第１始動口５ａに入賞した際に第１始動入賞信号を出力する。また、第２始動口５ｂには、遊技球の入賞を検知する第２始動入賞球検知センサ５３ｂ（図５に図示）が設けられており、第２始動入賞球検知センサ５３ｂは、主制御装置１４に、遊技球が第２始動口５ｂに入賞した際に第２始動入賞信号を出力する。主制御装置１４は、第１始動入賞信号の入力（所定の乱数取得条件の成立）に基づいて第１特図ゲーム（変動表示ゲーム）の各大当たりおよびはずれを決める乱数を取得し、第２始動入賞信号の入力（所定の乱数取得条件の成立）に基づいて第２特図ゲーム（変動表示ゲーム）の各大当たりおよびはずれを決める乱数の取得を行う。なお、この第１および第２始動入賞信号の入力に基く乱数の取得順が上述の入賞順として、第１および第２特図ゲームの開始順が決定される。
【００３９】
また、可変表示装置３には、画面の周縁部分（演出表示を邪魔しない部分）に後述の特図保留数のマーク個数表示３１ａ、３１ｂが行われる特図保留数表示領域３１が設定されている。主制御装置１４では、特図ゲームの実行中において第１始動入賞球検知センサ５３ａから始動入賞信号が入力した場合に、第１特図ゲームの保留が可能な上限になる数値（たとえば４）の範囲内で第１特図保留数に１加算（マークの個数を１ずつ増加表示）し、この始動入賞に基づいて第１特図ゲーム（変動表示ゲーム）が開始される場合に、第１特図保留数から１減算（マークの個数を１ずつ減少表示）する。この第１特図保留数が特図保留数表示領域３１（３１ａ）にマークの数として表示される。同様に、主制御装置１４では、特図ゲームの実行中において第２始動入賞球検知センサ５３ｂから始動入賞信号が入力した場合に、第２特図ゲームの保留が可能な上限になる数値（たとえば４）の範囲内で第２特図保留数に１加算（マークの個数を１ずつ増加表示）し、この始動入賞に基づいて第２特図ゲーム（変動表示ゲーム）が開始される場合に、第２特図保留数から１減算（マークの個数を１ずつ減少表示）する。この第２特図保留数が特図保留数表示領域３１（３１ｂ）にマークの数として表示される。なお、第１特図保留数が０で、第１および第２特図ゲームが行われていない状態で、第１始動入賞球検知センサ５３ａから始動入賞信号が入力した場合に、第１特図保留数は、入賞信号の入力に基づいてすぐに第１特図ゲームが開始されることによって０になる。
同様に、第２特図保留数が０で、第１および第２特図ゲームが行われていない状態で、第２始動入賞球検知センサ５３ａから始動入賞信号が入力した場合に、第２特図保留数は、入賞信号の入力に基づいてすぐに第２特図ゲームが開始されることによって０になる。
【００４０】
また、可変表示装置３の下方で、さらに振分誘導装置７の右方に、大入賞口６１を有する特別変動入賞装置６が設けられている。この特別変動入賞装置６には、いわゆるアタッカとしての構成を有するもので、大入賞口６１を開閉する可動扉６２が備えられ、通常行われる通常遊技状態では、可動扉６２が遊技球を大入賞口６１に流入させないように立って閉じた閉状態になり、第１特図ゲームまたは第２特図ゲームの結果が各大当たりになって大当たり状態が発生した場合に遊技球が流入し易いように前に略水平に倒れて開いた開状態になる。特別変動入賞装置６には、その大入賞口６１に入賞した遊技球を検知する大入賞球検知センサ６３が設けられている。
【００４１】
なお、大当りになった場合には、大当り状態として、例えば、特別変動入賞装置６が閉塞状態から開放状態になって再び閉塞状態になる開閉動作としての１ラウンドの動作を、所定ラウンド数だけ行うようになっている。パチンコ遊技機によって異なる場合があるが、例えば、大当たり状態では、所定ラウンド数が１０〜１６程度になっている。なお、ラウンド数は、当たりの種類によって異なる場合がある。
また、特別変動入賞装置６は、いわゆる突確、突時、潜確等の当たりに対応する大当たり状態では、２ラウンドだけの動作を行うものになっており、これらを２ラウンド当たりと称する。大当たり状態における特別変動入賞装置６の制御は、当たり状態制御手段としての主制御装置１４が行う。
【００４２】
可変表示装置３の左側方には、普通図柄（普図と略す）始動口（スルーチャッカ）８ａが設けられている。また、普図始動口８ａに対応して、普図始動口８ａ内を通過した遊技球を検知する通過球検知センサ８１が設けられ、通過球検知センサ８１は遊技球を検知すると主制御装置１４に通過球検知信号を出力する。当該通過球検知信号の入力に基づいて主制御装置１４は、普通変動入賞装置５を開状態とする当たりと、普通変動入賞装置５を閉状態のままとするはずれとを抽選する普図抽選を行う。なお、この普図抽選の結果は、普図の変動表示ゲーム（以下、普図ゲーム）を普図表示装置８ｂで表示することにより報知される。上述の普図表示装置８ｂの下には、普図保留数表示ランプ８ｃが設けられており、特図保留数と同様に求められる普図保留数が表示される。
【００４３】
可変表示装置３の上および左右には、遊技球の可変表示装置３側への流入を防止する壁部３３が設けられている。可変表示装置３の下側にはステージ３４が設けられ、ワープ入り口３５から流入した遊技球が図示しないワープ出口からステージ３４上に流出するようになっている。また、ワープ入り口３５からワープ出口までは、図示しないワープ流路が例えば、遊技盤１前面より後側（背面側）に設けられている。ワープ入り口３５から流入した遊技球は、このワープ流路を通ってワープ出口からステージ３４に流出する。
また、ステージ３４の前縁は、遊技盤１の前面の位置になっており、ステージ３４の下側で遊技釘等で撥ねた遊技球が載ることが可能になっているとともに、ステージ３４の前縁から遊技球がステージ３４より下の遊技領域２に流下可能になっている。
【００４４】
前記ステージ３４上では、ワープ出口から流出した遊技球が流出時の勢いで左右に転動するようになっている。このステージ３４上を左右に転動する遊技球の一部は、ステージ上の遊技球の転動路で導出口３６に振分られるようになっている。この導出口３６は、ステージ３４の左右の中央に設けられ、導出口３６から流出した遊技球は、高い確率で、振分誘導装置７の後述の流入口７１に流入するようになっている。
なお、ステージ３４上に載った遊技球が流入口７１に流入する確率は、ステージ３４上に載らなかった遊技球が流入口７１に流入する確率より高くなっている。
【００４５】
前記振分誘導装置７は、一つの流入口７１と、二つの流出口７２，７３と、一つの流入口７１から流入した遊技球を二つの流出口７２、７３のいずれか一方に導く二股状の振分通路７４と、振分通路７４の二股に分岐する部分に設けられ遊技球の流動方向を左右の流出口７２，７３のいずれか一方に振り分ける振分部材７５とを備える
【００４６】
前記流入口７１は、ステージ３４の導出口３６の真下に配置されており、導出口３６から導出された遊技球が高い確率で流入するようになっている。
また、導出口３６を備えるステージ３４は、その前縁が遊技盤１の盤面と同じ位置で、かつ、ステージ３４および導出口３６と流入口７１との間には、上下に十分な間隔があけれられており、ステージ３４上に載らなかった遊技球も流入口に流入可能になっている。また、導出口３６に誘導されずにステージ３４の前縁から下方に落下する遊技球もその一部が流入口７１に流入可能になっている。
【００４７】
前記振分通路７４は、流入口７１から下方に向う部分と、左右に分岐して下り傾斜しながら流出口７２，７３にそれぞれ向う部分とからなり、遊技盤１の前面から前側に形成されている。
振分通路７４の左右端部には球受口７２ａ、７３ａが設けられ、遊技盤１の前面より後側に設けられた球通路を介して球受け口７２ａ、７３ａと流出口（流出路）７２，７３が接続され、流出口７２，７３に至った遊技球は、流出口７２，７３の遊技盤１の前面位置とされている下縁から遊技領域２に流下するようになっている。
【００４８】
右の流出口７２の真下には、第１始動口５ａが配置されており、左の流出口７３の真下には、第２始動口５ｂが配置されている。これにより、右の流出口７２から流下した遊技球は高い確率で第１始動口５ａに入賞し、左の流出口７３から流下した遊技球は高い確率で第２始動口５ｂに入賞する。なお、第２始動口５ｂを有する普通変動入賞装置５の一組の可動片５１が閉じている状態でも、左の流出口７３を流下した遊技球は、高い確率で第２始動口５ｂに流入するようになっている。
【００４９】
なお、振分誘導装置７と第１始動口５ａおよび第２始動口５ｂの間のＳには、上下に遊技球が流入可能な間隔が空けられており、振分誘導装置７に流入しなかった遊技球が第１始動口５ａまたは第２始動口５ｂに流入可能になっている。
振分部材７５は、基本的シーソー状の部材であり、右の流出口７２側に傾いて遊技球を右の流出口７２に誘導する状態と、左の流出口７３側に傾いて遊技球を左の流出口７３側に誘導する状態とに変動可能になっている。
なお、シーソー状の振分部材７５は、遊技球の重みで左右交互に傾斜させる自重傾斜タイプ、所定の駆動源によって左右交互に周期的に傾斜させる動力傾斜タイプの何れでも良いが、本実施形態では自重傾斜タイプにて説明する。
【００５０】
この実施形態では、振分部材７５は、左右にそれぞれ延出し、遊技球を右の流出口７２または左の流出口７３に誘導する誘導片７６，７７と、これら左右の誘導片７６，７７の上側の中央に設けられて上側に延出し、流入口７１から流入した遊技球を右の誘導片７６または左の誘導片７７のいずれかに振り分ける振分片７８が設けられている。これら左右の誘導片７６，７７および振分片７８の中央に、固定軸７ａの軸周りに回転自在に支持された軸受部７９とを備え、この円筒状の軸受部７９の周囲に半径方向に沿ってそれぞれ略等間隔に左中右の３方向に延びる誘導片７６，振分片７８、誘導片７７が設けられている。
【００５１】
振分通路７４の分岐部分には、床面側から上側に突出する凸部７ｂが設けられ、振分部材７５を右側（時計回り）に回転した場合に右の誘導片７６の先端部が凸部７ｂの右側立ち上がり壁面に接触してそれ以上回転できない状態になる。この状態で振分片７８は、右側に傾くことによって、流入口７１から流入する遊技球を左側に誘導する状態になる。この状態で遊技球が流入すると、右側に傾いた振分片７８により左側の誘導片７７上に遊技球が流動する。これにより誘導片７７に遊技球の荷重が作用し、振分部材７５を左側に回転させる。
【００５２】
これにより左側の誘導片７７上の遊技球は左側の誘導片７７上を左に流れ、左の流出口７３から流出する。
この際に、振分部材７５が左に回転することによって、左の誘導片７７が左に傾いて凸部７ｂの左側立ち上がり壁面に接触して回転が停止する。この状態では、振分片７８が左側に傾くことになる。
この状態では、流入口７１から流入する遊技球を右側に誘導する状態になる。この状態で遊技球が流入すると、左側に傾いた振分片７８により右側の誘導片７６上に遊技球が流動する。これにより誘導片７６に遊技球の荷重が作用し、振分部材７５を右側に回転させる。
【００５３】
これにより右側の誘導片７６上の遊技球は右側の誘導片７６上を右に流れ、右の流出口７２から流出する。
この際に、振分部材７５が右に回転することによって、右の誘導片７７が右に傾いて突出部７ｂに接触して回転が停止する。この状態では、振分片７８が右側に傾くことになる。
また、振分部材７５の振分片７８の盤面後方側先端部には、振分部材７５より後方（盤面裏側）に揺動自在に設けられ、振分部材７５を軸支させる遊技盤取付けベース板に穿設した扇形状の開口α内を左右に揺動させるリンク機構からなる負荷付与部材７ｃが連結さされている。この負荷付与部材７ｃは、振分部材７５の固定軸７ａに対する回転に負荷を与えるもので、遊技中の振動等によりシーソー状の振分部材７５が遊技球の通過に関係なく右または左に傾斜してしまうことを防止するもの（バランス調整機能を有するもの）である。なお、負荷は、例えば、摩擦力によって与えられ、上述のように遊技球の通過に基く荷重が左右の誘導片７６，７７に作用した場合にかかる力より弱いものになっており、遊技球が通過する際に発生する荷重による振分部材７５の回転（左右傾斜の揺動）を阻害しないようになっている。
このような振分部材７５により振分誘導装置７に流入口７１から順次流入する遊技球は、交互に左右の球受け口７２ａ，７３ａから流出口７２，７３に振分られる。これにより、流出口７２，７３を介して振分誘導装置７は、順次流入する遊技球を第１始動口５ａと第２始動口５ｂとに交互に誘導する。第１始動口５ａおよび第２始動口５ｂにおいては、遊技釘９の配置等によって、主に振分誘導装置７を介して遊技球が入賞するようになっているので、第１始動口５ａと、第２始動口５ｂとに遊技球が交互に入賞する状態になる。なお、振分誘導装置７以外から第１始動口５ａおよび第２始動口５ｂに遊技球が入賞すると交互の順番がずれることになる。
【００５４】
上述のように、普図ゲームが当たりになった場合に、普通変動入賞装置５が開放し、普通変動入賞装置５（第２始動口５ｂ）への遊技球の入賞率が高まり、特図ゲームの開始機会が増加するようになっている。なお、確変状態および時短状態では、頻繁に普通変動入賞装置５が開放する状態になる。この場合に、上述の第１始動口５ａと、第２始動口５ｂとに交互に入賞する状態とはならず、主に第２始動口５ｂに遊技球が入賞する状態になる。したがって、第１始動口５ａと、第２始動口５ｂとに交互に入賞する状態は、確変状態および時短状態を除く通常状態の場合である。
【００５５】
また、遊技領域２の左側部には、複数の一般入賞口１０，１０が設けられている。また、一般入賞口１０，１０に対応して、一般入賞口１０，１０に入賞した遊技球を検知する一般入賞球検知センサ１１がそれぞれ設けられている。
また、特別変動入賞装置６の下方の遊技領域２の最下端部には、いずれの入賞口にも入賞しなかった遊技球を遊技領域２の外部になる遊技盤１裏面に排出させるアウト口１２が設けられている。また、遊技盤１の前面には、遊技球の流下方向を規制するとともに流下方向を転換する遊技釘９（一部だけ図示）や風車（図示略）等の流下規制転換部材が設けられている。
【００５６】
また、遊技機の前面（本実施形態では、遊技盤前面の遊技領域を覆うガラス扉の下方に設けられる球受け皿の周辺部）には、図３に示すように、入力デバイス２１が設けられている。入力デバイス２１は、有蓋円筒状の押ボタンスイッチ２１ａと、円環状のジョグダイヤル２１ｂとを有する。押しボタンスイッチ２１ａは、ばね付勢された出没自在な円形の押下部材を備える部材で、その周囲に環状のジョグダイヤル２１ｂが３６０度回転自在に設けられている。また、押しボタンスイッチ２１ａの押下部は透光部を有する中空部材であり、その内部には、ＬＥＤが内蔵されており、押しボタンスイッチ２１ａを押すことによって、何らかの処理が実行可能な場合に点灯し、何の処理も行われない場合に消灯するようになっている。また、押しボタンスイッチ２１ａは、押すことによりオンになり、手を離すとばね付勢により元に戻るようになっている。
ジョグダイヤルは、左右に３６０度回転可能、かつ回転量および回転方向を検出可能で、この検出に基いて可変表示装置におけるプレイ情報画面でのカーソル移動を行うためのものである。例えば、右に回すとカーソルが右に移動し、かつ、右移動できない場合にカーソルが下に移動するようになっている。また、ジョグダイヤル２１ｂを左に回すと、カーソルが左に移動し、左に移動できない場合にカーソルが上に移動するようになっている。
【００５７】
また、可変表示装置３は、上述の変動表示ゲームを表示するとともに、所定時間以上第１始動口５ａおよび第２始動口５ｂのいずれにも遊技球が入賞せず、変動表示ゲームが行われない状態が続くと、デモンストレーション表示が行われるようになっている。デモンストレーション表示は、例えば、パチンコ遊技機の特徴等を示すものとなっている。また、可変表示装置３において特図ゲームの実行待機の状態、またはデモンストレーション表示が行われている際に、押しボタンスイッチ２１ａのＬＥＤが点灯し、押しボタンスイッチ２１ａを押すと、図４に示す、プレイ情報画面が表示されるようになっている。
【００５８】
図４に示すように、プレイ情報画面では、遊技者が当該遊技機でプレイ（遊技）を開始する場合にプレイを開始することを示す情報を入力するためのプレイ開始ボタン表示部４１と、遊技者が当該遊技機でのプレイを終了する場合にプレイを終了することを示す情報を入力するためのプレイ終了ボタン表示部４２と、プレイ開始の際に遊技者の携帯端末としての携帯電話に通知された記号コード（遊技結果履歴の情報、積算ポイント情報、個人情報などが含まれている）を入力するための記号コード入力表示部４３と、記号コード入力表示部４３で、記号コードを構成する記号（文字）を入力するための記号一覧表示部４４と、プレイ開始からプレイ終了までのプレイ期間に生成されるポイントの積算値を表示するポイント表示部４５と、プレイ終了ボタン表示部４２によりプレイ終了を示す情報が入力された場合に、前記ポイントの積算値を含むプレイ中の遊技データの履歴（プレイ期間中の変動表示ゲームの回数、プレイ期間中に変動表示ゲームが大当たりとなった回数等）および後述の会員サイトのＵＲＬ（Uniform Resource Locator）の情報を有する所定様式の二次元コードが表示される二次元コード表示部４６とが表示されるようになっている。なお、各表示４１〜４５を切り替え表示可能な画面毎に表示するものとしてもよい。また、上述の表示に加えて、プレイ期間としての時間、プレイ期間中に実行された変動表示ゲームの数、前の大当たりからの変動表示ゲームの実行数、プレイ期間中の大当たりとなった回数等の遊技データを表示する表示画面を表示可能となっていてもよい。
なお、二次元コード（符号化映像など）は、例えば、一次元バーコードを縦に積み重ねて表示する「スタック式」、情報を黒白交互のマス目（セル）で縦横モザイク状に表示した「マトリックス式」などによって、たとえば、数字のみの情報なら最大７０８９文字、漢字・全角カナでも最大１８１７文字までコード化することができるものとなる。
【００５９】
また、プレイ開始ボタン表示部４１、プレイ終了ボタン表示部４２、記号一覧表示部４４の各文字は、カーソルで指定可能となっており、ジョグダイヤル２１ｂを回転することによって、カーソル位置を移動できるようになっている。なお、プレイ開始ボタン表示部４１およびプレイ終了ボタン表示部４２は、色の変化等で全体がカーソルで選択された状態となり、この状態で押しボタンスイッチ２１ａを押すことによって、プレイ開始またはプレイ終了を示す情報が入力可能となっている。記号一覧表示部４４の各記号をカーソルで選択して押しボタンスイッチ２１ａを押すことにより、選択された記号を記号コード入力表示部４３に表示可能となっている。また、記号一覧表示部４４には、記号以外に記号コードを確定する確定ボタンと、文字を一文字ずつ後ろ側から消去するバックスペースボタンとが表示されるようになっている。
【００６０】
次に、この例のパチンコ遊技機の制御系を図５に示されるブロック図を参照して説明する。パチンコ遊技機の制御系は、大きく分けて主制御部（主基板の制御装置としての主制御手段）１５と、副制御部（サブ基板側の制御装置としての副制御手段）１６と、これら主制御部１５および副制御部１６に電力を供給する電源供給装置８２とから構成されている。主制御部１５には、例えば、遊技機用のワンチップマイコン等で構成される主制御装置１４が備えられ、主制御装置１４には、プログラムを実行するＣＰＵ１４ａ、プログラムやプログラムで使用するデータを記憶したＲＯＭ１４ｂや、プログラムに基づいて発生したデータやＲＯＭ１４ｂから読み出した各種データ等を記憶するＲＡＭ１４ｃや周波数発生回路部１４ｄ等が備えられている。
【００６１】
主制御装置１４（ＣＰＵ１４ａ）には、パチンコ遊技機に設けられた各種センサからの信号が入力可能になっており、前述の第１および第２始動入賞球検知センサ５３ａ，５３ｂ、大入賞球検知センサ６３、通過球検知センサ８１、一般入賞球検知センサ１１が接続されるとともに、遊技球の入賞に対応して賞球を払出す遊技球払出装置１７から払い出された賞球を検知する遊技球払出検知センサ１８、パチンコ遊技機におけるエラーを検知するエラー検知センサ１９等が接続されている。
【００６２】
また、主制御装置１４は、パチンコ遊技機の各種装置を動作させるため各種信号を出力するようになっている。例えば、主制御装置１４には、遊技店において設置された各遊技機のデータを集計管理するための集中管理装置２０が主制御装置１４からデータを入力可能に接続されている。また、主制御装置１４には、サブ制御装置（副制御手段）としての払出制御装置２２、図柄制御装置２３、ランプ制御装置２４、音声制御装置２５が接続され、これらサブ制御装置に対してコマンド（制御指令）を出力可能とされている。
【００６３】
また、ここで、払出制御装置２２は実質的に賞球を払出すためのパチンコ遊技機における遊技の主要な制御を行うことから主制御部１５に含まれるものとし、遊技の演出に係わる図柄制御装置２３、ランプ制御装置２４、音声制御装置２５は副制御部１６に含まれるものになっている。
【００６４】
また、主制御装置１４には、第１および第２特図表示器４ａ，４ｂが接続され、主制御装置１４が始動入賞に基く抽選結果に応じるように第１および第２特図表示器４ａ，４ｂにおける特図の変動表示および変動停止表示の表示制御を行う。
また、当該特図ゲームの実行中に次の特図ゲームの当たりおよびはずれを決定するための乱数の情報を所得した際の保留記憶管理、特図ゲームの実行処理に基く記憶消去処理を行う乱数記憶制御手段として機能する。
また、主制御装置１４は、当該特図ゲームの実行中に次の特図ゲームの当たりおよびはずれを決定するための乱数の情報を取得した際に、次の特図ゲームにかかる保留待ち状態に関する情報として先読みコマンドを生成して副制御装置１６に送信する制御を行う。この先読みコマンドには、保留待ち状態に関する情報、大当たりか否かの情報、変動パターンの情報（変動表示時間、リーチの有無）などが含まれる。副制御部１６は、先読みコマンドに基いて保留数のマーク個数表示３１ａ、３１ｂの表示処理や事前予告演出の表示処理を行う。
なお、特図４ａ、４ｂの表示制御の表示時間および停止表示結果は、可変表示装置３における特図ゲームの表示時間および停止表示結果と同期リンクするようにしている。
また、主制御装置１４には、上述の普通変動入賞装置５の可動片５１，５１を駆動する普通変動ソレノイド５５が駆動制御可能とされているとともに、特別変動入賞装置６の可動扉６２を駆動する特別変動ソレノイド６４が駆動制御可能とされている。
【００６５】
また、払出制御装置２２には、払出制御装置２２により制御されて賞球および貸球を払出す遊技球払出装置１７が接続されるとともに、プリペードカード（記録媒体）２６のデータを読み込で遊技球の貸出制御を行うためのＣＲユニット２７が球貸信号制御装置２８を介して接続されている。払出制御装置２２は、主制御装置１４からのコマンドに基づいて賞球を払出すとともに、ＣＲユニット２７から球貸信号制御装置２８を介して入力される球貸信号に基づいて貸球を払出す制御を行う。
【００６６】
また、主制御部１５には、主制御装置１４と直接接続されていないが、遊技球を遊技領域２に発射する打球発射装置（図示略）の発射駆動装置２９を制御する発射制御装置２９ａが設けられ、発射制御装置２９ａには、遊技球の発射を操作するための回転式操作ハンドル２９ｂ、発射停止釦２９ｃ、タッチセンサ２９ｄが接続されている。
【００６７】
主制御部１５の主制御装置１４は、パチンコ遊技機における遊技の進行を制御するもので、第１および第２始動入賞球検知センサ５３ａ，５３ｂ、大入賞球検知センサ６３、一般入賞球検知センサ１１から遊技球の検知信号が入力された場合、すなわち、各入賞口に遊技球が入賞した場合に、払出制御装置２２にコマンドを出力して、賞球として遊技球の排出を行わせる。
【００６８】
また、主制御装置１４は、通過球検知センサ８１から遊技球の検知信号が入力した場合に、上述の普図保留数を加算する処理を行うとともに、普図ゲームの当たり外れを決定する抽選処理で用いられる各種乱数を取得し、普図保留数が上限未満の場合に乱数を記憶する。また、所定の開始条件として、前の普図ゲームのはずれでの終了もしくは当たり後の普通変動入賞装置５の開閉動作の終了で普図ゲームを開始するとともに普図保留数を１減算する。この際に乱数による抽選処理によって、普図ゲームの当たり外れを決定し、普図ゲームの表示や結果の報知や演出のために図柄制御装置２３やランプ制御装置２４や音声制御装置２５にコマンドを出力する。
【００６９】
また、主制御装置１４は、第１および第２始動入賞球検知センサ５３ａ，５３ｂからの始動入賞信号の入力と特図ゲームの開始に基づいて、上述の特図保留数の処理を行うとともに、特図ゲームの大当たり外れを決定する抽選処理で用いられる抽選決定情報としての各種乱数（当たり判定乱数、図柄乱数、演出乱数）を取得し、特図保留数が上限未満の場合に当該乱数をＲＡＭ１４ｃ（乱数記憶手段の一部）に記憶する。なお、前記抽選処理によって、当たり判定乱数に基づいて第１および第２特図ゲームの大当たりおよびはずれを決定し、第１および第２特図表示器４ａ，４ｂを制御して第１および第２特図ゲームを表示するとともに、可変表示装置３における装飾図柄の変動表示ゲームの表示や結果の報知や演出のために図柄制御装置２３やランプ制御装置２４や音声制御装置２５等にコマンドを出力する。
【００７０】
なお、第１および第２特図ゲーム（変動表示ゲーム）の開始条件（乱数判定条件）は、前の第１特図ゲームまたは第２特図ゲームがはずれで終了した際と、第１特図ゲームまたは第２特図ゲームが大当たりになったことにより、特別変動入賞装置６を開放する大当たり状態になった場合に、この大当り状態が終了した際に、第１特図保留数（第２特図保留数）が１以上になっているか、第１始動入賞信号または第２始動入賞信号が入力した場合である。また、第１特図ゲームと第２特図ゲームとの両方が開始可能な場合には、上述の乱数を取得した時期が早い方の特図ゲームが開始される。すなわち、第１始動口５ａと第２始動口５ｂとへの入賞順にしたがって順次第１特図ゲームと第２特図ゲームとが行われる。したがって、上述のように交互に第１始動口５ａと第２始動口５ｂとに遊技球が入賞した場合には、第１特図ゲームと第２特図ゲームとが交互に行われる。また、開始条件の成立（乱数判定条件の成立）に伴って、特図ゲームの開始時に、この特図ゲームに対応する乱数の大当たりおよびはずれ等の判定を行う。
【００７１】
また、主制御装置１４は、普図ゲームが当たりになった場合には、普通変動入賞装置５の可動片５１，５１を駆動する普通変動ソレノイド５５を制御して普通変動入賞装置５を閉状態から開状態とする制御を行う。また、主制御装置１４は、第１特図ゲームまたは第２特図ゲームが各大当たりになった場合には、特別変動入賞装置６の可動扉６２の特別変動ソレノイド６４を制御して所定の条件に基づいて特別変動入賞装置６を閉状態から開状態に変動させて上述の大当たり状態を発生させる制御を行う。
【００７２】
また、当たり抽選手段としての主制御装置１４は、前述の始動入賞信号に基づいて第１特図ゲームおよび第２特図ゲームが大当たりになるかはずれになるかを決める抽選処理を行う。また、主制御装置１４は、大当たりとはずれとのいずれかを示す第１特図ゲームまたは第２特図ゲームを順次表示する際に、確変大当たり等の発生に基づいて前記抽選処理により第１特図ゲームおよび第２特図ゲームが大当たりになる確率を低確率状態より高い高確率状態とし、通常大当たり等の発生に基づいて前記抽選処理により第１特図ゲームおよび第２特図ゲームが大当たりになる確率を高確率状態より低い低確率状態とする制御を行う。また、主制御装置１４は、所定の大当たりの発生に基づいて、通常状態より普通変動入賞装置の単位時間当たりの開放時間（開放回数）が多くなる時短状態（電チユーサポート状態）とする制御を行う。なお、確変状態（高確率支援状態）では、基本的に高確率状態になるとともに電チユーサポート状態になり、時短状態（支援状態）では、電チユーサポート状態になる。
【００７３】
また、副制御部１６の変動表示ゲーム表示制御手段としての図柄制御装置２３は、可変表示装置３と、普図表示装置（ＬＥＤ表示装置）８とを制御するものであり、可変表示装置３がビデオディスプレイプロセッサを介して接続されている。上述の主制御装置１４により決定された各大当たりおよびはずれと、変動パターンとしての変動表示時間等に基づいて、報知演出制御手段としての図柄制御装置２３により装飾図柄の変動表示ゲームの可変表示装置３における表示が制御される。また、図柄制御装置２３は、主制御装置１４において、算出される特図保留数に基づいて、可変表示装置３の特図保留数表示領域３１における特図保留数のマークの表示を制御する。
また、主制御装置１４にて行われる乱数の当否抽選に基いて生成される遊技制御コマンドの送信を取得した副制御部１６は、特図ゲームの変動演出表示を可変表示装置３にて行わせ、これに付随して予告演出表示や事前予告演出表示の制御を行う予告演出決定手段として機能する。
また、後述のポイントの情報を含む遊技データのプレイ情報と、Ｗｅｂサイト９６のＵＲＬの情報とがデータとして登録された二次元コードの表示を制御する。
また、図柄制御装置２３は、パチンコ遊技機の遊技盤１を支持する前面枠を覆うガラス扉、またはそのガラス扉の下方に設けられる球受け皿ユニット部等に設けられた上述の入力デバイス２１を遊技者等が操作した場合に、入力デバイス２１からの外部入力信号が入力するようになっている。
【００７４】
副制御部１６のランプ制御装置２４は、遊技盤１の盤面に設けられた盤面関係の電飾（ＬＥＤ等の光源）２４ａと、パチンコ遊技機の遊技盤１を支持する前面枠に設けられ、遊技盤１の前面を覆うガラス枠等の枠扉関係の電飾（ＬＥＤ等の光源）２４ｂとが接続され、ＬＥＤやランプ等による演出を制御する。また、ランプ制御装置２４には、普図保留数表示ランプ８ｃが接続されている。
【００７５】
音声制御装置２５には、サウンドプロセッサ、アンプ、スピーカ等からなる音声発生装置２５ａが接続されており、音声制御装置２５は、演出用の効果音、音声、音楽等の出力を制御する。
【００７６】
この実施の形態において、乱数生成手段としての主制御装置１４は、所定範囲内の数値からなる乱数（擬似乱数）を生成する。例えば、０から所定数まで高速にカウントアップし、所定数に達したら再び０とする処理を行い、この数値を擬似乱数とする。なお、乱数の生成に際して、周期性のある擬似乱数の周期性を乱すような処理を加えてもよい。また、主制御装置１４とは、別に乱数生成手段を設けてもよい。
【００７７】
乱数取得手段としての主制御装置１４が第１および第２始動入賞球検知センサ５３ａ，５３ｂからの始動入賞信号の入力時に生成された乱数を取得する。なお、始動入賞信号が入力した際に、上述の対応する特図保留数（記憶された３つ一組の乱数の組数）が上限未満の場合に乱数を取得するが、対応する特図保留数が上限の場合には、乱数を取得しない。
【００７８】
また、乱数記憶手段としての主制御装置１４は、上述のように取得した乱数をＲＡＭ１４ｃに記憶し、この乱数に対応する変動表示ゲームの開始条件が成立し、記憶された乱数による抽選処理が行われた場合に乱数消去条件が成立したものとして乱数を消去し、この際に特図保留数が一つ減算される。なお、上述のように第１特図ゲームおよび第２特図ゲームが両方とも行われておらず、かつ第１特図保留数および第２特図保留数が両方とも０で、乱数を取得して直ぐにそれに対応する第１特図ゲームもしくは第２特図ゲームが開始される場合には、保留数は０となる。
【００７９】
当たり抽選手段としての主制御装置１４は、特図ゲーム開始の際に、上述のように取得された３つずつの乱数（当たり判定乱数、図柄乱数、演出乱数）を用いて第１および第２特図ゲームを表示するための抽選処理を行う。抽選処理においては、当たり判定乱数と、設定されている当たり判定テーブル（低確率判定テーブルおよび高確率判定テーブル）に登録された当たり判定値とを比較する。主制御装置１４のＲＯＭ１４ｂは、テーブル記憶手段として当たり判定テーブルが記憶されている。
【００８０】
当たり判定値は、当たり判定乱数になる所定範囲の数値のうちから予め決められた数値であり、大当たり確率は、（当たり判定値の数）／（当たり判定乱数になる所定範囲の数値の数）になる。また、当たり判定値には、当たり確率が低確率になる通常時の低確率判定テーブルに登録された当たり判定値と、確変大当たり後の高確率時の高確率判定テーブルに登録された当たり判定値とがあり、例えば、通常時（低確率時）の当たり判定値の数に対して、高確率時の当たり判定値の数が約１０倍とされる。これにより、低確率時に対して高確率時の大当たり確率が約１０倍とされる。
【００８１】
取得された当たり乱数の数値と、当たり判定値とが一致した場合に、大当たりになり、一致しない場合にはずれになる。
また、低確率判定テーブルを用いるか、高確率判定テーブルを用いるかは、上述のように制御される確率状態が高確率状態か低確率状態かにより、確率変動制御手段としての主制御装置１４で決定される。
なお、この実施形態において、低確率判定テーブルにおける当たり判定値と同じ当たり判定値が高確率判定テーブルの当たり判定値として含まれており、低確率判定テーブルの当たり判定値との比較で大当たりになる当たり判定乱数は、高確率判定テーブルの当たり判定値との比較でも大当たりになる。
【００８２】
図柄乱数は、第１および第２特図表示器４ａ，４ｂに表示される特図の種類を決定するものであるが、特図ゲームがはずれの場合には、たとえば一種類の特図になり、大当たりの場合には、各大当たりの種類毎、例えば、通常大当たり、確変大当たりでそれぞれ複数種類の特図が設定されており、図柄乱数と関連付けられた特図が選択される。
したがって、大当たりの場合に図柄乱数によって、通常大当たりなのか確変大当たりなのかが決定される。
【００８３】
また、演出乱数は、特図ゲームの表示時間を含む変動パターンを決定するものであり、はずれの場合にリーチになるか否か、また、リーチの場合に表示時間が短いノーマルリーチか、表示時間の長いスーパーリーチやプレミアムリーチになるかを決定するものである。大当たりの場合は、リーチ確定であり、ノーマルリーチかスーパーリーチかなどのリーチの演出の種類を決定するものになる。なお、変動パターン選択手段としての主制御装置１４は、変動パターンの選択に際して、はずれや大当りの種類毎に設定された抽選確率と複数の変動パターンの組み合わせからなる変動パターンのデータテーブルに従って抽選を行い、変動パターンを選択する。
【００８４】
なお、リーチとは、変動表示ゲームにおいて、一部の停止表示される装飾図柄が確定し、一部が未だ変動表示されている段階で、大当たりの可能性が残っている状態であり、同時に表示される装飾図柄が３つの場合に、２つの装飾図柄が停止表示され、未だ１つの装飾図柄が変動表示されている段階で、大当たりの可能性がある状態である。すなわち、リーチは、変動表示ゲームが停止表示されて大当たりまたははずれが報知される直前まで、はずれが確定せずに大当たりの可能性が残っている状態である。
【００８５】
上述の３つの乱数により、特図ゲームの表示が決定されて特図ゲームの結果に基づいてはずれおよび大当たりの第１および第２特図ゲームが行われる。また、主制御装置１４からこれらの抽選決定情報に基づく情報（変動パターンを含む）が、図柄制御装置２３に送られ、可変表示装置３における装飾図柄の変動表示ゲームの表示制御が行われる。
【００８６】
すなわち、主制御装置１４は、第１特図ゲームもしくは第２特図ゲームを開始する際に、上述の抽選結果に基づいて、図柄制御装置２３に、大当たりおよびはずれのいずれかを示すデータと、変動パターンのデータと、大当りの場合の大当りの種類データとを送信するとともに、変動表示ゲームの開始コマンドを送信するようになっている。
また、主制御装置１４は、図柄制御装置２３が可変表示装置３で第１特図保留数および第２特図保留数を表示するために、上述のように乱数を取得した場合に、乱数を取得したことを示すコマンドを出力するようになっている。なお、この際には、第１始動入賞球検知センサ５３ａからの始動入賞信号に基く乱数の取得か、第２始動入賞球検知センサ５３ｂからの始動入賞信号に基く乱数の取得かを区別してコマンドが出力される。
【００８７】
図柄制御装置２３では、上述の各コマンドに基いて変動表示ゲームを表示するとともに、乱数の取得を示すコマンドに基いて第１特図保留数（３１ａ）および第２特図保留数（３１ｂ）の表示を行う。この際には、上述の主制御装置１４の場合と同様に第１特図保留数（３１ａ）および第２特図保留数（３１ｂ）を算出する。
【００８８】
また、図柄制御装置２３は、後述のようにプレイ開始ボタンが操作された場合に、上述のプレイ開始の操作がなされてからの遊技の履歴となる遊技データを記憶するようになっている。すなわち、上述の変動表示ゲームの開始コマンドの入力毎に変動表示ゲームの実行回数を積算して記憶する。また、大当たりであった場合に、大当たりの種類と、各大当たり毎の発生回数を記憶する。なお、発生したリーチの種類を記憶したり、変動表示ゲームの実行回数を例えば通常時と確変時とに分けて記憶してもよい。また、大当たりの種類とともに、大当たりの際の特図を記憶するものとしてもよい。
【００８９】
また、図柄制御装置２３（副制御装置１６）は、ポイントを生成する処理を行う。ポイントの生成処理は、上述の記号コードの入力を含むプレイ開始の操作がなされるとポイント積算の初期状態（積算ポイント分のかさ上げ状態）となり、その後の特図ゲーム等に基いてポイントの積算が開始される。本実施形態のポイントの生成は、主制御装置１４から上述の乱数の取得を示すコマンドが入力した際に行われる。
この際に、保留数が０で、かつ、第１特図ゲームも第２特図ゲームも行われていない状態、すなわち、乱数の情報が取得されてもそれに基いて直ぐに特図ゲームが開始されて保留数が再び０となってしまう場合と、乱数の情報が取得された際に第１特図ゲームまたは第２特図ゲームの何れかが行われており乱数を取得することによって保留数が１以上となる場合とで生成されるポイント付与率に差を付ける（付与するポイントの高低の優遇を行う）ようになっている。
【００９０】
なお、後者の場合には、乱数を取得した際の保留数が０の場合も保留数が１以上の場合も含まれる。この場合に保留数が０であっても、特図ゲームが実行されていることから乱数の取得により保留数が１以上となる。
また、特別変動入賞装置６が開閉動作する大当たり状態中は、その大当たり状態が終了するまで特図ゲームは待機状態となる。この待機状態は、特図ゲームの実行期間に含まれる。
【００９１】
この例においては、前者の場合よりも後者の場合の方がポイントが優遇されるようになっている。すなわち、乱数を取得した際に、第１特図保留数および第２特図保留数の少なくとも一方が１以上となっているか１以上となる場合の方が、乱数を取得しても第１特図保留数および第２特図保留数が０となってしまう場合よりも生成されるポイント付与率を多くするようになっている。例えば、乱数を取得した際に第１特図保留数および第２特図保留数の少なくとも一方が１以上となる場合に生成されるポイントを５とし、乱数を取得しても特図ゲームが直ぐに開始されて第１特図保留数および第２特図保留数が０となってしまう場合に生成されるポイントを１としてもよい。
【００９２】
なお、単純に乱数を取得した際の第１特図保留数と第２特図保留数とを見て、両方の特図保留数とも０の場合と、少なくとも一方の特図保留数が１以上の場合とで、生成するポイントに差を付けるものしてもよい。この場合も乱数を取得した際の両方の特図保留数が０の場合よりも少なくとも一方の特図保留数が１以上の場合にポイント付与率を多くする。
【００９３】
また、上述のいずれの場合にしろ乱数を取得した際の特図保留数の数が多いほど生成されるポイント付与率を多くするものとしてもよい。例えば、第１特図保留数と第２特図保留数の和が０の場合に、生成されるポイントを所定数（例えば１）とし、それ以後乱数を取得した場合の第１特図保留数および第２特図保留数の和が１増える毎に、生成されるポイントを所定数（例えば５）ずつ増加させるものとしてもよい。この場合に、第１特図保留数および第２特図保留数の一方が上限で、他方が上限（例えば４）より一つ少ない場合に乱数を取得すると最も生成されるポイントが多くなる。なお、特図保留数が両方とも上限以上の場合には、乱数が取得されないのでポイントは生成されない。
また、特図保留数が上限（第１特図保留数＝４個、第２特図保留数＝４個）となることを条件に価値の高いポイント生成（特定フラグ生成）を行って、遊技者に特典付与（プレミアム画像の獲得権利など）とさせるようにしてもよい。
また、乱数の取得を示すコマンドが生起され上述のようにポイントが生成される際に、当該変動表示ゲームより後に実行される待ち状態の保留変動表示ゲームに対する先読みコマンドも入力し、この保留変動表示ゲームの先駆け予告演出パターン（事前予告演出表示）が当該変動表示ゲームで行われるか否かが決定されるようにし、事前予告演出表示が行われることが決定された場合に、事前予告演出表示を行わない場合よりも、生成するポイント付与率を多くするようにしてもよい。すなわち、ポイントを生成する際に事前予告演出表示が行われるか否かに基いて、生成されるポイントにさらにポイントを加算した状態となるように生成するようにしてもよい。
【００９４】
また、第１特図保留数が４でかつ第２特図保留数が４の場合、すなわち、両方の特図保留数がそれぞれ上限の場合に、この状態が保持された変動表示ゲームが連続する回数が多いほど生成されるポイント付与率を多くしてもよい。なお、第１特図保留数および第２特図保留数は一度上限以下とならないと、保留数が加算されない（乱数が取得されない）ので、実際には、第１特図保留数または第２特図保留数が上限の状態で、第１特図ゲームまたは第２特図ゲームが開始されることによって、第１特図保留数または第２特図保留数の一方が上限より一つ少ない状態になってから、上限より例えば一つ少ない状態の一方の特図保留数に乱数の取得により１加算されることによって、再び、両方の特図保留数が上限の状態に戻ることになる。
【００９５】
したがって、上限の状態が連続する回数とは、一回の変動表示ゲーム中に特図保留数が上限より一旦少なくなった状態から、特図保留数を０の無し状態とせずに再び上限となることを繰り返した回数となる。
この場合に、例えば、生成されるポイントは、上述の上限への復帰回数が一回増えるたびに所定数ずつ（例えば１０ずつ）多くなるものとしてもよい。
【００９６】
また、第１特図保留数および第２特図保留数が両方とも０の状態からどちらか一方の特図保留数が１となった際に計時を開始し、その後乱数を取得することにより第１特図保留数および第２特図保留数の両方が上限となった場合に計時を終了し、計時された時間に応じて（例えば、時間が短いほど）、上限となる乱数を取得した場合のポイントを増加させるものとしてもよい。または、計時された時間が所定時間以内ならポイントを増加させるものとしてもよい。この場合に、例えば、上限となった際の乱数の取得時に、上述の計時された時間が３分以内なら１００、５分以内なら５０、１０分以内なら１０だけポイントを増加させるようにしてもよい。
【００９７】
また、前回に大当たり状態となってから、もしくはプレイ開始ボタンが操作されてからの変動表示ゲームの実行回数を算出するものとし、大当たり状態後の変動表示ゲームの実行回数が例えば５００や１０００等の所定回数以上となった場合に、乱数を取得することにより第１特図保留数および第２特図保留数の両方が上限となった場合は、大当たり状態後の変動表示ゲームの実行回数が上述の場合より少ない場合に比較して、生成されるポイント付与率を多くしてもよい。すなわち、次の大当たり状態がなかなか発生しない場合に、生成されるポイント付与率を多くしてもよい。
【００９８】
また、一度、第１特図保留数および第２特図保留数が両方とも上限となった後に、これら第１特図保留数および第２特図保留数の和が所定数（例えば、４）以下となって、再び、第１特図保留数および第２特図保留数が両方とも上限となった際（乱数を取得して上限となった際）に生成されるポイント付与率を増加してもよい。
この場合には、第１特図保留数および第２特図保留数の和を常時監視し、例えば、特図ゲームが開始される度に、特図保留数が上限の８となってから４以下となるか否かを判定する。４以下となった場合には再び乱数を取得した際に８となるか否かを判定し、８となった場合に、その乱数の取得に対して生成されるポイントに例えば所定数（例えば１００）のポイントを増加させるものとしてもよい。
【００９９】
また、発生した大当たりの種類により大当たり状態後の現状の遊技状態が確変状態、時短状態、通常状態等のいずれの遊技状態かを判定し、乱数を取得する際のポイント付与率を遊技状態によって代えても良い。例えば、通常状態で生成されるポイントを確変状態や時短状態で生成するポイントより所定数多くするものとしたり、所定倍にしたりしてもよい。
【０１００】
なお、通常状態では、普通変動入賞装置５が開放される機会が少なく、かつ、開放時間が短いため、上述の振分誘導装置７により、第１始動口５ａと第２始動口５ｂとに交互に遊技球が入賞する可能性が高く、第１特図保留数と、第２特図保留数とが交互に加算される可能性が高くなっている。電チューサポート状態である確変状態や時短状態では、普通変動入賞装置５が頻繁に開放するとともに、開放時間が長くなることから、第２始動口５ｂへの遊技球の単位時間当たりの入賞数が第１始動口５ａへの遊技球の単位時間当たりの入賞数よりかなり多くなり、第１特図保留数と、第２特図保留数とが交互に加算される状態とはならない。しかし、特図ゲームの変動表示時間が通常遊技時と比較して確変状態などでは短い変動表示時間となるので特図保留数が上限となり難くなっている。
また、通常遊技状態において、一方の始動口に連続して遊技球が入賞した場合は、一方の特図ゲームの変動表示時間を短くして、直ぐ他方の特図ゲームの変動開始となるように特図変動効率を向上させるようにしても良い。
また、プレイ開始ボタンが操作されていない状態で遊技を行った場合において、ポイント表示部４５に表示しないポイント生成処理を行い、当該遊技中に積算したポイント総数に応じた演出変更（データテーブル変更）を行っても良い。
【０１０１】
以上のように図柄制御装置２３で生成されたポイントは、生成されるたびに積算されて記憶される。このポイントの積算値が、例えば、ポイント表示部４５に表示される。なお、ポイントの表示は、プレイ開始の操作が行われてプレイ終了の操作が行われるまでのプレイ期間中に生成されたポイントが積算されて表示されることになる。
なお、金色ポイント、銀色ポイント、銅色ポイントというようにポイント価値に差別化を設けて、ポイント付与状態に応じて獲得可能となるようにしても良い。当然、価値の高いポイントを多く集めることができた場合には、遊技者に優越感を与える利益を与えるようにすると好適である。
【０１０２】
また、図柄制御装置２３では、変動パターンに基く変動表示ゲームの演出表示に加えて予告演出表示を行うようになっている。予告演出表示は、例えば、変動表示ゲーム開始時から当否結果の報知をする特図変動停止表示までの所定タイミング等に当該変動表示ゲームが大当たりとなる可能性を示唆する割り込み的な演出表示である。
また、予告演出表示には、複数の種類がある。例えば、変動表示ゲーム表示中の画面に所定のキャラクタが登場するものや、変動表示ゲーム表示中の画面に背景に特定の画像が表示されるものなどがある。また、各種類の予告演出表示には、それぞれ大当たりとなる信頼度が異なる演出パターンが複数種類ある。本実施形態の予告演出表示は、基本的に二段階に種類が設定されている。すなわち、ここでは、まず、予告表示演出として、キャラクタ（可変表示装置３の画面上で変動させる図柄（特図）とは別に動作させるものの画像）が登場する種類と、背景画像（可変表示装置３の画面上で変動させる図柄（特図）の背景のステージ画像）が変わる種類とがあり、かつ。キャラクタが登場する種類では、登場するキャラクタの種類、服装、動作等が異なる種類（演出パターン）があり、背景画像が変わる種類では、表示される背景画像の異なる種類（演出パターン）がある。
なお、特図とは、複数の図柄を変動させた後に停止させる図柄の組み合わせに応じて、当否結果や大当たりとなる場合の大当たりの種類を報知するものである。
【０１０３】
予告演出表示の演出パターンの種類の大当たりとなる信頼度は、例えば、変動表示ゲームがはずれとなる場合の出現率が高く、大当たりとなる場合の出現率が低ければ、低いものとなる。逆に、大当たりの信頼度は、変動表示ゲームがはずれとなる場合の出現率が低く、大当たりとなる場合の出現率が高ければ、高いものとなる。但し、信頼度は、はずれの場合と大当たりの場合との出現率の相対的な関係で決まるものであり、例えば、大当たりにおける出現率が低くても、はずれの場合の出現率が０のならば、信頼度は最も高いものとなる。
【０１０４】
予告演出表示に際しては、図柄制御装置に各種類の予告演出表示の各演出パターンの種類に対応して、予告演出表示用の表示データが記憶されている。
また、図柄制御装置では、各種類の予告演出表示毎に各演出パターンの予告演出表示を表示するか否かを抽選により決定するようになっている。なお、一つの種類の予告演出表示においては、一回の変動表示ゲーム中に複数種類の演出パターンが表示されないものとする。すなわち、信頼度の高い演出パターンと信頼度の低い演出パターンが同時に表示されないものとする。
【０１０５】
例えば、演出パターンとして、キャラクタが登場する場合に、演出パターンとして、青い服を着たキャラクタが画面を通過してしまう第１の演出パターンと、青い服のキャラクタが画面を通過せずに、画面に所定時間留まる第２の演出パターンと、青い服のキャラクタが画面を通過せずに、画面に所定時間留まるとともに踊りを踊る第３の演出パターンと、虹色の服のキャラクタが画面を通過せずに、画面に所定時間留まるとともに踊りを踊る第４の演出パターンと、色の異なる服の多数のキャラクタが画面を通過せずに、画面に所定時間留まるとともに踊りを踊る第５の演出パターンとがあるものとする。この場合にこれら演出パターンのうちの一つが抽選で選択されて表示される（いずれも表示されない場合もある）。
【０１０６】
この場合に、各演出パターンの種類毎に抽選確率を設定するためのデータテーブルがあるとともに、データテーブルが変動表示ゲームが当たりとなる場合と、はずれとなる場合の２種類となっている。
なお、はずれの場合の変動パターンと、当たりの場合の変動パターン毎にデータテーブルを持っているものとしてもよい。
ここで具体的なデータテーブルの構成は、例えば、抽選に際し、例えば、０〜２５５までの数値の範囲から選択される数値としての乱数を取得する。それに対してしてデータテーブルでは、上述の第１から第５の演出パターンに、キャラクタが登場しない第０のパターンを加えた６種類の演出パターンにそれぞれ数値が割り当てられている。
【０１０７】
はずれの場合のデータテーブルにおいては、第０の演出パターンに０〜９９の数値が割り当てられ、第１の演出パターンに１００〜１９９までの数値が割り当てられ、第２の演出パターンに２００〜２３９までの数値が割り当てられ、第３の演出パターンに２４０〜２５３までの数値が割り当てられ、第４の演出パターンに２５４および２５５が割り当てられている。第５の演出パターンは、はずれのデータテーブルには、割り当てられていない。
【０１０８】
したがって、第５の演出パターンは大当たりの場合にだけ出現するので信頼度が１００％の演出パターンとなり、出現すれば大当たり確定となる。
大当たりの場合のデータテーブルにおいては、第０の演出パターンに０〜４の数値が割り当てられ、第１の演出パターンに５〜９までの数値が割り当てられ、第２の演出パターンに１０〜９９までの数値が割り当てられ、第３の演出パターンに１００〜１９９までの数値が割り当てられ、第４の演出パターンに２００から２５３が割り当てられ、第５の演出パターンに２５４および２５５が割り当てられている。
【０１０９】
抽選の際に取得した乱数が０〜２５５のいずれかとなるので、取得した乱数と一致する数値に対応づけられた予告演出表示の演出パターンが抽選で選択されることになる。
また、各予告演出表示の演出パターンの抽選確率は、分母が乱数が取る数値範囲に含まれる数値の数（例えば、２５６）で、分子が各演出パターンに割り付けられた数値の数となる。したがって、第５の演出パターンは、はずれの場合の抽選確率（出現確率）が０で、当たりの場合の抽選確率が２／２５５となる。第５の演出パターンは大当たりの場合にだけ出現するので信頼度が１００％の演出パターンとなり、出現すれば大当たり確定となる。
また、第５の演出パターンとなる予告演出表示の出現率は極めて低く、稀にしか出現しないプレミアム予告演出表示となる。
【０１１０】
この実施形態では、上述のパターンテーブルに加えて、プレイ期間中にポイントを積算した値が所定数以上で、かつ、第１特図保留数と第２特図保留数との和が所定数以上の場合に用いられるデータテーブルが設定されている。このデータテーブルは、例えば、大当たりとなるデータテーブルであって、第０の演出パターンに０〜４の数値が割り当てられ、第１の演出パターンに５〜９までの数値が割り当てられ、第２の演出パターンに１０〜２９までの数値が割り当てられ、第３の演出パターンに３９〜５９までの数値が割り当てられ、第４の演出パターンに６０８９が割り当てられ、第５の演出パターンに９０〜２５５が割り当てられている。
このデータテーブルによれば、大当たりの場合に、第５の演出パターンが高い確率で出現することになる。
【０１１１】
なお、プレイ期間中にポイントを積算した値が所定数以上で、かつ、第１特図保留数と第２特図保留数との和が所定数以上の場合に用いられるデータテーブルにおける第５の演出パターンに割り当てられる上述の数値は、一例であり、例えば、第５の演出パターンに０〜２５５までの数値の全てを割り当て、大当たりの場合に必ず第５の演出パターンが出現するものとしてもよい。
また、はずれの場合にも、プレイ期間中にポイントを積算した値が所定数以上で、かつ、第１特図保留数と第２特図保留数との和が所定数以上の場合に用いられるデータテーブルを設けてもよい。この場合に、はずれであっても第５の演出パターンが高い出現率で出現するものとしてもよい。
【０１１２】
このパチンコ遊技機においては、図６に示すように、会員用Ｗｅｂサイト９６（Ｗｅｂサーバ９３、Ａｐｌサーバ９４、データベース９５）と、パチンコ遊技機９１とが携帯端末としての携帯電話９２を介して連携して一つの遊技システムとして、前記ポイントを含む遊技データを取り扱うようになっている。
【０１１３】
パチンコ遊技機９１では、特図ゲームの実行待機の状態、またはデモンストレーション中の可変表示装置３のプレイ情報画面の表示と入力デバイス２１とにより、記号コードの入力に基いて遊技履歴情報（積算履歴ポイントを含む）、および所定の個人情報を遊技機に対して登録した後において、上述のプレイ開始の情報入力からプレイ終了の情報入力までのあいだのプレイ期間中に、前記図柄制御装置２３により上述のように変動表示ゲームの実行回数や大当たり状態の発生回数などの遊技データが収集されて記憶される。また、図柄制御装置２３では、乱数の所得毎にポイントが生成されるとともに生成されたポイントが積算される。また、パチンコ遊技機９１では、プレイ終了の情報が入力されると、これらポイントの情報含む遊技データの情報と、Ｗｅｂサイト９６のＵＲＬの情報とがデータとして登録された二元コードが生成され、これが携帯電話９２で読み取り可能に可変表示装置３の上述の二次元コード表示部４６に表示可能となっている。
なお、プレイ終了の情報の入力に基いて、積算されるポイントの情報を含む遊技データの情報は初期化（クリア）される。
また、プレイ開始からプレイ終了まで積算されたポイントを二次元コードの表示化をする際において、事前に記号コードの入力に基いて初期値ポイントがかさ上げされていた場合は、そのかさ上げしたポイントを減算する処理を行うようにしてもよい。
【０１１４】
この二次元コード表示部４６に表示された二次元コードを携帯電話９２のカメラで撮影して読み取ることにより、上述のポイントを含む遊技データと、ＷｅｂサイトのＵＲＬとの情報が読み取られることになる。このＵＲＬに基いてＷｅｂサイトにアクセスすることが可能となる。
【０１１５】
会員用のＷｅｂサイト９６にアクセスした際に会員登録が行われていない場合には、携帯電話の電場番号や電子メールアドレスなどの情報により会員登録を行うように促される。なお、Ｗｅｂサイト９６は、Ｗｅｂサイト９６をインターネット上に公開するためのＷｅｂサーバ９３と、Ｗｅｂサイト９３上でプログラム（アプリケーション）を実行させるＡｐｌサーバ９４と、アプリケーションの実行により得られるデータを記憶して管理するデータベース９５とを備えている。
【０１１６】
上述の各サーバにより実現されるＷｅｂサイト９６では、Ｗｅｂサイト９６にアクセスした各携帯電話から出力されるユニークな情報（ＩＰアドレス、マックアドレス、電子メールアドレス、電話番号等）により会員を特定し、各会員毎に関連づけて可変表示装置３にて表示された二次元コードに含まれたるポイント含む遊技データをデータベースに記憶する。この際に既にポイントの情報や遊技データの情報が記憶されている場合には、データの解析処理として、既にあるポイント等のデータに今回入力されたポイント等のデータを加算する処理を行う。例えば、遊技データにおいては、既に登録されている変動表示ゲームの実行回数や大当たりの種類毎の大当たり回数やリーチの種類毎の発生回数等に、今回プレイ期間中に行われた変動表示ゲームの実行回数や、大当たりの種類毎の大当たりの回数や、リーチの種類毎の発生回数等を加算する処理を行う。
【０１１７】
また、これらのデータから例えば大当たりとなるまでの平均の変動表示ゲームの実行回数を算出したり、各大当たりの種類毎の発生確率を算出したり、リーチの種類毎の発生確率を算出するなどの解析処理を行う。
なお、これらの遊技データおよび解析処理後のデータは、Ｗｅｂサイト９６の会員専用ページにアクセスすることによって閲覧可能となっている。
【０１１８】
また、上述のようにプレイ期間中に得られたポイントを加算した場合に、加算されるポイントに対応してデータダウンロード用ポイント（ダウンロードポイント）を生成するものとしてもよい。この場合に加算されるポイントに対してダウンロードポイントを同じとしてもよいし、例えば、ポイント１０に対してダウンロードポイント１を付与するように値を変換するものとしてもよい。
【０１１９】
Ｗｅｂサイト上には、ポイントに対する特典として、例えば、携帯電話９２の待ち受け画面の画像データや、着信音や音楽の音データがダウンロード可能とされているが、この際にダウンロードポイントを必要とし、各画像データや音データに設定されたダウンロードポイントと交換で、画像データや音データがダウンロード可能とされている。したがって、画像データや音データを携帯電話９２にダウンロードするとダウンロードポイントが減算されて減少される。本実施形態では、積算されたポイント総数（純粋な積算履歴ポイント）は減少せず、加算されるだけの状態となる。なお、新たにダウンロードポイントを得るためには、再び、遊技機で遊技を行うことにより生成されたポイントをＷｅｂサイト上で加算させる必要がある。
【０１２０】
また、画像データおよび音データのダウンロードを行う際に、上述の二次元コードに登録されたポイントの値によって、画像データだけがダウンロードできる場合と、音データだけがダウンロードできる状態とに分けるものとしてもよい。例えば、二次元バーコードに登録されたポイントが５００ポイント以上の場合にデータのダウンロードが可能となるとともに、ポイントが５００〜５９９、７００〜７９９、９００〜９９９…の場合に画像データをダウンロード可能とし、ポイントが６００〜６９９、８００〜８９９、１０００〜１０９９…の場合に画像データをダウンロード可能としてもよい。
【０１２１】
また、ポイントが奇数の場合に画像データがダウンロード可能で、ポイントが偶数の場合に音データがダウンロード可能となるものとしてもよい。この場合に、遊技者が音データをダウンロードしたいのにもかかわらず、ポイントが画像データだけがダウンロードできるポイントの場合に、遊技者が再びパチンコ遊技機で遊技をして、音データがダウンロードできるポイントとして、音データをダウンロードする可能性があり、遊技者にこの実施形態のパチンコ遊技機での遊技を促すことができる。
【０１２２】
次に、前回までの分と、今回の分とを含むトータルのポイントの積算値に対応して、記号コードを生成する処理を行う。記号コードは、例えば、複数の記号（文字や数字を含める）からなるコードである。実際には、例えば、６個等の所定数の記号を並べたものが記号コードとなり、記号の順列からなっている。
【０１２３】
この記号コードは、例えば、ポイントの値毎に対応づけられたもので、ポイントの値に対して記号コードを変換可能となっている。すなわち、記号コードの順列毎に対応するポイントが設定されおり、ポイントから記号コードに変換可能となっている。なお、変換方法は限定されるものではないが、例えば、１０００ポイント毎に記号コードが設定されていてもよく、１〜１０００までが記号コード「ａａａ１２３」に変換され、１００１〜２０００までが記号コード「ａｂａｂｓｄ」に変換されるものとしてもよい。すなわち、ポイントの範囲毎に各記号コードが関連付けられたデータテーブルを用いて、ポイントを記号に変換するものとしてもよい。
【０１２４】
また、ポイントのみを記号コードに変換するのではなく、変動表示ゲームの実行回数や大当たり回数等に基いてポイントを増やす処理、または遊技打込レベル（例えば、初級〜中級〜上級）の設定を行い、増やされたポイント、または遊技打込レベルの情報を含めるようにして記号コードに変換するものとしてもよい。例えば、変動表示ゲームの実行回数が１万回を越えた場合は、ポイントを倍にするというような解析処理を行った後に記号コードに変換してもよい。
生成された記号コードは、例えば、Ｗｅｂサイトの各会員専用の会員ページで公開されるものとしてもよいし、電子メールで会員の携帯電話９２に通知するものとしてもよい。
【０１２５】
パチンコ遊技機には、上述の入力デバイス２１により記号コードが入力可能になっており、プレイ開始情報を入力する際に記号コードを入力することによって、記号コードを入力していない場合には見ることができなかった演出表示が見られるようになる。例えば、リーチ演出の変動パータンとして、記号コードが未入力の場合に出現する変動パターンに加えて、記号コードが未入力の場合の所定の変動パターンに対応して同じ変動時間の変動パターンを各記号コードに関連付けて記憶しておき、記号コードが入力されると対応する変動パターンが選択可能になる。例えば、記号コードが入力されない場合のプレミアムリーチの変動パターンに対して、同じ変動時間で異なるプレミアムリーチの変動パターンのデータが記号コード毎に設定され、記号コードが入力されると、記号コードを未入力の場合の所定のプレミアムリーチの変動パターンに代えて、記号コードに対応する変動パターンが選択される。
これにより、記号コードが未入力の場合と、各記号コードが入力された場合とのそれぞれの場合において、プレミアムリーチのキャラクタが異なったり、キャラクタの動作が異なったりする。また、入力される記号コードが異なることにより、プレミアムリーチのキャラクタが異なったり、キャラクタの動作が異なったりすることになる。
【０１２６】
この実施形態のパチンコ遊技機における遊技方法および遊技にかかわるパチンコ遊技機の制御の処理について説明する。
図７は、プレイ期間中にポイントを生成して積算（加算）するとともに遊技データを収集して記憶し、プレイ終了時にこれらポイントおよび遊技データを含む二次元コードを出力するパチンコ遊技機の図柄制御装置２３におけるポイント処理を示すものである。
【０１２７】
パチンコ遊技機においては、まず、遊技者がパチンコ遊技機の席についた場合に、パチンコ遊技機では従来と同様に変動表示ゲームが行われていないことから、特図ゲームの実行待機の状態、またはデモンストレーション表示が行われている。
このデモンストレーション表示においては、例えば、このパチンコ遊技機の会員用Ｗｅｂサイトに携帯電話からアクセスして会員登録を行うように促す表示が行われる。
【０１２８】
また、入力デバイス２１の押しボタンスイッチ２１ａを押して、記号コードの入力、およびプレイ開始の情報を入力するように促す表示が行われる。
この状況で、図柄制御装置２３では、可変表示装置３に特図ゲームの実行待機の状態、またはデモンストレーション表示を行っているか否かを判定する（ステップＳ１）。なお、この処理は、リアルタイム処理において、例えば、メイン処理が実行される度に行われる処理であり、常時、特図ゲームの実行待機の状態、またはデモンストレーション表示が行われているか否かを監視する処理になる。特図ゲームの実行待機の状態、またはデモンストレーション表示が行われていない場合には、処理を終了する。
【０１２９】
次に、特図ゲームの実行待機の状態、またはデモンストレーション表示が行われている場合には、入力デバイス２１の押しボタン２１ａが押されたか否かを判定し、押しボタン２１ａが押されるまで処理を待機する状態になる（ステップＳ２）。なお、ここでは、実際には押しボタン２１ａが押されると、図４に示すようなプレイ情報画面が表示され、プレイ開始表示部４１にジョグダイヤル２１ｂでカーソルを合わせ、押しボタンスイッチ２１ａを押すことによって、記号コードの入力が可能となり記号コードの情報、およびプレイ開始情報が図柄制御装置２３に入力される。
【０１３０】
また、記号コードの入力に基いて上述のように変動表示ゲームの演出表示において、当該記号コードが入力されていない場合には、出現しない、もしくは出現率の低いリーチ演出等が出現可能になる。
【０１３１】
なお、押しボタンスイッチ２１ａを押しても、記号コードの情報、およびプレイ開始情報の入力がない場合には、所定時間後に、再び、特図ゲームの実行待機の状態、またはデモンストレーション画面に戻り、押しボタンスイッチ２１ａが押されるのを待機する状態になる。
なお、押しボタンスイッチ２１ａが押されることなく、遊技者による遊技球の発射が行われ、変動表示ゲームが開始されると、特図ゲームの実行待機の状態、またはデモンストレーション画面の表示が終了し、この処理は終了する。
【０１３２】
記号コードの情報、およびプレイ開始情報が入力された場合には、プレイ期間中になり、遊技者により遊技球が発射され、第１始動口５ａおよび第２始動口５ｂへの遊技球の入賞により、乱数の情報が取得され、乱数の情報が取得されたことが、主制御装置１４から図柄制御装置２３にコマンドとして通知された際に、ポイントを生成する処理を行う。ポイントの生成においては、上述のように乱数を取得した際に特図保留数の状態、特図保留数の履歴、遊技状態などにより、生成されるポイントが変化することになる。
また、生成したポイントは、図柄制御装置２３のＲＡＭ等のメモリに順次積算されて記憶される。
【０１３３】
変動表示ゲームの開始や、大当たりや大当たりの種類を示す主制御装置１４からコマンドに基づいて、遊技データとして、変動表示ゲームの実行回数、大当たりの種類毎の大当たりの発生回数等が記憶される（ステップＳ３）。
また、特図ゲームの実行待機の状態、またはデモンストレーション中の状態では、プレイ終了表示部４１にジョグダイヤル２１ｂでカーソルを合わせ、押しボタンスイッチ２１ａを押すことによって、プレイ終了情報が図柄制御装置２３に入力されるか否かを待機する状態になっている（ステップＳ４）。
【０１３４】
なお、プレイ終了表示部４１を含むプレイ情報画面は、上述のように特図ゲームの実行待機の状態、またはデモンストレーション画面中に押しボタンスイッチ２１ａを押すことによって表示される。
プレイ終了情報が入力された場合には、ポイントの生成や、遊技データの収集記憶処理が終了し、ポイントの値、遊技データとしての変動表示ゲームの実行回数、大当たり種類毎の大当たり発生回数等が所定の順番で並べられ、これらデータが、周知の二次元コード変換方法により二次元コードに変換されて二次元コードが生成され、この二次元コードが遊技を終了した状態のパチンコ遊技機の可変表示装置３の二次元コード表示部４６に表示される（ステップＳ５）。
【０１３５】
この表示された二次元コードを携帯電話９２に読み取り、この二次元コードに含まれるＵＲＬにしたがって、会員用のＷｅｂサイト９６にアクセスして、上述のように二次元コードに登録されたポイントおよび遊技データを、携帯電話９２を特定可能なユニークな上述の情報に対応して、データベース９５に登録することができるとともに遊技データ履歴やポイント履歴やそれらの解析データを閲覧することが可能になる。
【０１３６】
次に上述のポイント処理におけるポイント生成処理を説明する。なお、ここでは、ポイントの生成だけではなく、ポイントに対応する特典処理として出現率の極めて低い予告演出表示の出現率を高めて、ポイントに対する特典として稀にしか見られない予告演出表示が見られる可能性を高める処理とが含まれる。
【０１３７】
ポイント生成処理では、まず、始動入賞があったか否かが判定される。なお、図柄制御装置２３においては、主制御装置１４から始動口５ａ、５ｂへの始動入賞に対応して乱数を取得したことを示すコマンドが入力された際に、始動入賞信号ありと判定される（ステップＳ１１）。
【０１３８】
ここでは、始動入賞があるまで待機するとともに始動入賞を監視する状態になっており、始動入賞があった場合に次の処理に進む。
始動入賞に基いて乱数が取得されたので、第１始動入賞球検知センサ５３ａからの始動入賞信号の入力か、第２始動入賞球検知センサ５３ｂからの始動入賞信号の入力かに対応して、第１特図保留数または第２特図保留数を上述のように１増加して更新記憶する（ステップＳ１２）。
【０１３９】
次に第１特図保留数および第２特図保留数の和がいくつになっているかを判定する（ステップＳ１３）。なお、現状で変動表示ゲームが行われていない変動表示ゲームの待機状態で、上述のように取得された乱数に対応する変動表示ゲームが直ぐに開始される状態では、第１特図保留数および第２特図保留数の和を０とする。
【０１４０】
次に、現状のゲーム状態を、例えば、主制御装置１４からのコマンドや、前回の大当たり状態の種類等から判定する。すなわち、通常状態か、確変状態か、時短状態かを判定する（ステップＳ１４）。
上述の第１特図保留数および第２特図保留数の和の値と、現状の遊技状態とから、上述のように生成するポイントを決定する（ステップＳ１５）。ここでは、第１特図保留数と第２特図保留数の和が大きいほどポイントを高くし、かつ、確変状態や時短状態より通常状態の方が、ポイント付与率が高くなるようにする（ゲーム性によっては、通常状態の方がポイント付与率が低くなるようにしてもよい）。また、遊技利益（所謂、賞出球）の少ない当たり（所謂、ラウンド数の少ない、またはアタッカ開放時間の短い当たり）の場合であってもポイント付与率を高くする。
【０１４１】
次に、生成されたポイントを積算して、プレイ開始からのプレイ期間中に積算されたポイントの値（記号コードの入力によって積算履歴ポイント情報が登録されていた場合は、その積算ポイントを含む総計値）が所定数以上か否かと、現状の第１特図保留数と第２特図保留数との和が所定数以上（たとえば、上限）か否かとを判定する（ステップＳ１６）。
積算されたポイントの値が所定数以上で、かつ、第１特図保留数と第２特図保留数との和が所定数以上の場合に、上述のように出現率の極めて低い（出現率が例えば所定出現率以下の）予告演出表示としてのプレミア画像（出現率が低いことにより稀にしか見られない画像）を含む予告演出表示（プレミアム予告演出表示）の抽選用のデータテーブルを、上述のように変更することによって、プレミアム予告演出表示の出現率を高くする（ステップＳ１７）。
【０１４２】
変動表示ゲーム開始時に、変更されたデータテーブルを用いてプレミアム予告演出表示の抽選を行う。この際には高い確率でプレミアム予告演出表示が抽選で選択され表示される可能性がある（ステップＳ１８）。
これにより、積算されたポイントの値が所定数以上で、かつ、第１特図保留数と第２特図保留数との和が所定数以上になっている際には、上述の変更後のデータテーブルで抽選が行われるので、条件が成立した際の変動表示ゲームで、プレミアム予告演出表示が抽選で選択されなくても、その後の変動表示ゲームでプレミアム予告演出表示が行われる可能性は高くなり、遊技を続行していれば、遊技者がプレミアム予告演出表示を見られる可能性が高いものになる。
【０１４３】
以上のようなこの実施形態のパチンコ遊技機においては、電チューサポートが行われていない通常状態において、振分誘導装置７により、第１始動口５ａと、第２始動口５ｂとに交互に遊技球が入賞する可能性が高い。また、第１特図ゲームと第２特図ゲームは、これら第１および第２始動口５ａ、５ｂへの遊技球の入賞順に開始される。
以上の状態では、一つの始動口に対して保留数の上限を従来のたとえば４から倍の８とした場合に近い遊技が可能になる。
【０１４４】
上述のように、乱数の取得、すなわち、変動表示ゲームの開始の契機を得られた際に、パチンコ遊技機で遊技者に対してポイントを生成して付与できる構成とするとともに、ポイントに応じて遊技者に特典を付与できる構成とした場合に、乱数を取得した際に、特図保留数が０になってしまう場合よりも、特図保留数が１以上になる場合に生成されるポイント付与率を高くすることによって、遊技者が特図保留数を貯め続けようとする意識の向上化が図れ、遊技球の発射を停止するのを抑制できる。
【０１４５】
なお、本発明を振分誘導装置７を備えないパチンコ遊技機に適用してもよい。この場合に、始動口が１つで、行われる特図ゲームが一つであってもよい。また、生成されたポイントを二元コード等により外部に出力せず、パチンコ遊技機の遊技中にポイントが使用されて上述のようなプレミアム予告演出表示等が見られるものであってもよい。また、プレミアム予告演出表示の出現確率を高くする条件として、ポイントが所定数以上で、かつ、両方の特図保留数の和が所定数以上であることとしたが、ポイントが所定数以上であれば、プレミアム予告演出表示の出現確率を高くするものとしてもよい。
また、上記の実施形態では、始動入賞毎にポイントを生成して積算して更新記憶をさせたいが、特図保留数が１以上まはた特定保留数（例えば、保留上限）になることを条件にポイントが生成されるようにしてもよい。
【０１４６】
また、特図保留数が多いほど生成されるポイントを高くすることや、特図保留数が上限になること、あるいは上限になっていることによって高いポイントが得られる構成とすることによって、さらに、遊技者が遊技球の発射を停止するのを抑制することができる。
【０１４７】
上記実施形態の変動表示ゲームでは、始動口への遊技球検知（始動入賞）を契機とする抽選に基いて、有利な当たり遊技状態（アタッカ（６）を開閉させるラウンド遊技）の移行か否かの演出に関する複数の特図による変動表示の実行およびその特図変動後の特図停止表示の組合わせ態様による抽選結果報知を行う特図ゲームに関する例示をした。
しかし、本発明においては、始動口への遊技球検知時（スルーチャッカ（８ａ）の通過）を契機とする抽選に基いて、遊技盤（遊技領域）に設けた可動役物（電動チューリップ（５））を遊技球の入賞に有利な状態（可動片の開閉）にする移行か否かの演出に関する普図による変動表示の実行、およびその普図変動後の普図停止表示の態様による抽選結果報知を行う普図ゲームに関してであっても適用可能である。
【０１４８】
以上、本発明者によってなされた発明を適用した実施の形態について説明したが、この実施の形態による本発明の開示の一部をなす論述および図面により本発明は限定されることはない。すなわち、この実施の形態に基づいて当業者等によりなされる他の実施の形態、実施例および運用技術等は全て本発明の範疇に含まれることは勿論であることを付け加えておく。
【符号の説明】
【０１４９】
１        遊技盤
２        遊技領域
３        可変表示装置（表示手段、二元コード表示手段）
５ａ      第１始動口（始動口）
５ｂ      第２始動口（始動口）
１４      主制御装置（乱数取得手段、当たり抽選手段、乱数記憶制御手段、遊技状態制御手段、遊技状態判定手段）
２１      入力デバイス（入力手段）
２３      図柄制御装置（演出表示制御手段、ポイント生成記憶手段、ポイント積算手段、予告演出表示制御手段）
９２      携帯電話
９３      Ｗｅｂサーバ（所定サーバ）
【図１】
0006010601.tif 000002
【図２】
0006010601.tif 000003
【図３】
0006010601.tif 000004
【図４】
0006010601.tif 000005
【図５】
0006010601.tif 000006
【図６】
0006010601.tif 000007
【図７】
0006010601.tif 000008
【図８】
0006010601.tif 000009